(57)【要約】【課題】遊技者及び遊技店にとって的確な遊技情報を提供することができる遊技機を提供すること。【解決手段】メインＣＰＵは、大当り遊技が付与された場合、及び入球率向上状態が付与されていないときに小当り遊技が付与された場合に、第７遊技情報（当り遊技情報）を出力する。その一方、メインＣＰＵは、入球率向上状態が付与されているときに小当り遊技が付与された場合には第７遊技情報（当り遊技情報）を出力しない。【選択図】図１４
2010069124.tif 000002
【特許請求の範囲】
【請求項１】
遊技球の入賞を検知する始動入賞口と、前記始動入賞口による遊技球の入賞検知を契機に複数種類の図柄を変動させる図柄変動ゲームを実行する演出実行手段を備え、前記図柄変動ゲームで予め決められた大当り表示結果が表示された場合には大当り遊技が付与される遊技機において、
前記始動入賞口による遊技球の入賞検知を契機に当り判定用乱数の値を取得する乱数取得手段と、
前記図柄変動ゲームの開始時に、前記乱数取得手段が取得した当り判定用乱数の値と予め定めた大当り判定値とを比較し、大当りか否かを判定する大当り判定手段と、
前記大当り判定手段の判定結果が否定の場合、前記乱数取得手段が取得した当り判定用乱数の値と予め定めた小当り判定値とを比較し、小当りか否かを判定する小当り判定手段と、
前記大当り判定手段又は前記小当り判定手段の判定結果が肯定の場合には、前記図柄変動ゲームの演出時間を特定可能な変動パターンを複数種類の当り演出用の変動パターンの中から決定する一方、前記大当り判定手段及び前記小当り判定手段の判定結果が否定の場合には、前記変動パターンを複数種類のはずれ演出用の変動パターンの中から決定する変動パターン決定手段と、
前記大当り判定手段の判定結果が肯定の場合、図柄変動ゲーム終了後、特別入賞口が開放される第１の大当り遊技と、前記第１の大当り遊技よりも前記特別入賞口の開放時間が短い第２の大当り遊技のうち、何れの大当り遊技を付与するかを決定する大当り遊技決定手段と、
前記大当り判定手段の判定結果が肯定の場合、前記大当り遊技決定手段が決定した内容で、図柄変動ゲーム終了後、前記大当り遊技を付与する大当り遊技付与手段と、
前記小当り判定手段の判定結果が肯定の場合、図柄変動ゲーム終了後、前記第２の大当り遊技における前記特別入賞口の開放態様と同じ態様にて前記特別入賞口を開放させる小当り遊技を付与する小当り遊技付与手段と、
図柄変動ゲームの結果を示す特別図柄を決定する図柄決定手段と、
前記大当り遊技終了後に、前記始動入賞口への遊技球の入賞確率を向上させる入球率向上状態を付与するか否かを決定する入球率向上状態決定手段と、
前記入球率向上状態決定手段が入球率向上状態を付与することを決定した場合、前記入球率向上状態を付与する入球率向上状態付与手段と、
前記大当り判定手段の判定結果が肯定の場合、大当り遊技終了後、前記大当り判定手段が肯定判定する確率が通常状態における確率よりも高確率となる確変状態を付与するか否かを決定する確変判定手段と、
前記確変判定手段が確変状態を付与するとことを決定した場合、確変状態を付与する確変付与手段と、
前記変動パターン決定手段が決定した変動パターンに基づき、前記図柄変動ゲームを前記演出実行手段に実行させ、前記大当り判定手段の判定結果が肯定の場合には、大当り遊技に係わる遊技演出を前記演出実行手段に実行させる演出制御手段と、
大当り遊技中又は小当り遊技中であることを示す当り遊技情報を外部装置に出力する遊技情報出力手段と、を備え、
前記図柄決定手段は、前記大当り判定手段の判定結果が肯定の場合、予め決められた第１大当り図柄、第２大当り図柄及び第３大当り図柄の中から特別図柄を決定し、前記小当り判定手段の判定結果が肯定の場合、特別図柄として予め決められた小当り図柄を決定し、前記大当り判定手段及び前記小当り判定手段の判定結果が否定の場合、特別図柄としてはずれ図柄を決定するように構成され、
前記大当り遊技決定手段は、前記図柄決定手段が第１大当り図柄を決定した場合には、第１の大当り遊技を付与することを決定する一方、前記図柄決定手段が第２大当り図柄又は第３大当り図柄を決定した場合には、前記第２の大当り遊技を付与することを決定し、
前記確変判定手段は、前記図柄決定手段が第１大当り図柄又は第２大当り図柄を決定した場合、確変状態を付与することを決定する一方、前記図柄決定手段が第３大当り図柄を決定した場合には、確変状態を付与しないことを決定し、
前記入球率向上状態決定手段は、
前記図柄決定手段が第１大当り図柄を決定した場合には、前記入球率向上状態を付与することを決定し、
前記図柄決定手段が第２大当り図柄を決定した場合であって前記大当り判定手段が肯定判定したときに入球率向上状態が付与されていない場合には、入球率向上状態を付与しないことを決定する一方、前記図柄決定手段が第２大当り図柄を決定した場合であって前記大当り判定手段が肯定判定したときに入球率向上状態が付与されていた場合には、入球率向上状態を付与することを決定し、
前記図柄決定手段が第３大当り図柄を決定した場合であって前記大当り判定手段が肯定判定したときに入球率向上状態が付与されていない場合には、入球率向上状態を付与しないことを決定する一方、前記図柄決定手段が第３大当り図柄を決定した場合であって前記大当り判定手段が肯定判定したときに入球率向上状態が付与されていた場合には、予め決められた回数の図柄変動ゲームが終了するまで入球率向上状態を付与することを決定するように構成され、
前記遊技情報出力手段は、前記第１の大当り遊技が付与された場合、前記第２の大当り遊技が付与された場合、及び前記入球率向上状態が付与されていないときに前記小当り遊技が付与された場合に、前記当り遊技情報を出力する一方、前記入球率向上状態が付与されているときに前記小当り遊技が付与された場合には前記当り遊技情報を出力しないことを特徴とする遊技機。
【請求項２】
前記演出制御手段は、
前記図柄決定手段が第１大当り図柄を決定した場合、図柄変動ゲーム中又は大当り遊技中に確変状態が付与されることを認識させる確変演出を実行させ、
前記図柄決定手段が第２大当り図柄、第３大当り図柄又は小当り図柄を決定した場合であって前記入球率向上状態が付与されていない場合、図柄変動ゲーム中又は大当り遊技中に確変状態付与の可能性を示唆する潜伏演出を実行させて、確変状態が付与されるか否かを秘匿することを特徴とする請求項１に記載の遊技機。
【請求項３】
遊技球の入賞を検知する始動入賞口と、前記始動入賞口による遊技球の入賞検知を契機に複数種類の図柄を変動させる図柄変動ゲームを実行する演出実行手段を備え、前記図柄変動ゲームで予め決められた大当り表示結果が表示された場合には大当り遊技が付与される遊技機において、
前記始動入賞口による遊技球の入賞検知を契機に当り判定用乱数の値を取得する乱数取得手段と、
前記図柄変動ゲームの開始時に、前記乱数取得手段が取得した当り判定用乱数の値と予め定めた大当り判定値とを比較し、大当りか否かを判定する大当り判定手段と、
前記大当り判定手段の判定結果が否定の場合、前記乱数取得手段が取得した当り判定用乱数の値と予め定めた小当り判定値とを比較し、小当りか否かを判定する小当り判定手段と、
前記大当り判定手段又は前記小当り判定手段の判定結果が肯定の場合には、前記図柄変動ゲームの演出時間を特定可能な変動パターンを複数種類の当り演出用の変動パターンの中から決定する一方、前記大当り判定手段及び前記小当り判定手段の判定結果が否定の場合には、前記変動パターンを複数種類のはずれ演出用の変動パターンの中から決定する変動パターン決定手段と、
前記大当り判定手段の判定結果が肯定の場合、図柄変動ゲーム終了後、特別入賞口が開放される第１の大当り遊技と、前記第１の大当り遊技よりも前記特別入賞口の開放時間が短い第２の大当り遊技のうち、何れの大当り遊技を付与するかを決定する大当り遊技決定手段と、
前記大当り判定手段の判定結果が肯定の場合、前記大当り遊技決定手段が決定した内容で、図柄変動ゲーム終了後、前記大当り遊技を付与する大当り遊技付与手段と、
前記小当り判定手段の判定結果が肯定の場合、図柄変動ゲーム終了後、前記第２の大当り遊技における前記特別入賞口の開放態様と同じ態様にて前記特別入賞口を開放させる小当り遊技を付与する小当り遊技付与手段と、
図柄変動ゲームの結果を示す特別図柄を決定する図柄決定手段と、
前記大当り遊技終了後に、前記始動入賞口への遊技球の入賞確率を向上させる入球率向上状態を付与するか否かを決定する入球率向上状態決定手段と、
前記入球率向上状態決定手段が入球率向上状態を付与することを決定した場合、前記入球率向上状態を付与する入球率向上状態付与手段と、
前記大当り判定手段の判定結果が肯定の場合、大当り遊技終了後、前記大当り判定手段が肯定判定する確率が通常状態における確率よりも高確率となる確変状態を付与するか否かを決定する確変判定手段と、
前記確変判定手段が確変状態を付与するとことを決定した場合、確変状態を付与する確変付与手段と、
前記変動パターン決定手段が決定した変動パターンに基づき、前記図柄変動ゲームを前記演出実行手段に実行させ、前記大当り判定手段の判定結果が肯定の場合には、大当り遊技に係わる遊技演出を前記演出実行手段に実行させる演出制御手段と、
大当り遊技中又は小当り遊技中であることを示す当り遊技情報を外部装置に出力する遊技情報出力手段と、を備え、
前記図柄決定手段は、前記大当り判定手段の判定結果が肯定の場合、予め決められた第１大当り図柄、第２大当り図柄、第３大当り図柄、第４大当り図柄及び第５大当り図柄の中から特別図柄を決定し、前記小当り判定手段の判定結果が肯定の場合、特別図柄として予め決められた小当り図柄を決定し、前記大当り判定手段及び前記小当り判定手段の判定結果が否定の場合、特別図柄としてはずれ図柄を決定するように構成され、
前記大当り遊技決定手段は、前記図柄決定手段が前記第１大当り図柄を決定した場合には、前記第１の大当り遊技を付与することを決定する一方、前記図柄決定手段が前記第２大当り図柄、前記第３大当り図柄、前記第４大当り図柄又は前記第５大当り図柄を決定した場合には、前記第２の大当り遊技を付与することを決定するように構成され、
前記確変判定手段は、前記図柄決定手段が第１大当り図柄、第２大当り図柄、第４大当り図柄又は第５大当り図柄を決定した場合、確変状態を付与することを決定する一方、前記図柄決定手段が第３大当り図柄を決定した場合には、確変状態を付与しないことを決定するように構成され、
前記入球率向上状態決定手段は、
前記図柄決定手段が第１大当り図柄を決定した場合には、次の大当り遊技が付与されるまで前記入球率向上状態を付与することを決定し、
前記図柄決定手段が第２大当り図柄又は第３大当り図柄を決定した場合であって前記大当り判定手段が肯定判定したときに入球率向上状態が付与されていない場合には、入球率向上状態を付与しないことを決定する一方、前記図柄決定手段が第２大当り図柄又は第３大当り図柄を決定した場合であって前記大当り判定手段が肯定判定したときに入球率向上状態が付与されていた場合には、予め決められた回数の図柄変動ゲームが終了するまで入球率向上状態を付与することを決定し、
前記図柄決定手段が第４大当り図柄を決定した場合には、次の大当り遊技が付与されるまで入球率向上状態を付与することを決定し、
前記図柄決定手段が第５大当り図柄を決定した場合であって前記大当り判定手段が肯定判定したときに入球率向上状態が付与されていない場合には、入球率向上状態を付与しないことを決定する一方、前記図柄決定手段が第５大当り図柄を決定した場合であって前記大当り判定手段が肯定判定したときに入球率向上状態が付与されていた場合には、次の大当り遊技が付与されるまで入球率向上状態を付与することを決定するように構成され、
前記演出制御手段は、
前記図柄決定手段が第１大当り図柄又は第４大当り図柄を決定した場合には、図柄変動ゲーム中又は大当り遊技中に、確変状態が付与されることを認識させる確変演出を実行させ、
前記図柄決定手段が第２大当り図柄又は第３大当り図柄を決定した場合、図柄変動ゲーム中又は大当り遊技中に、確変状態付与の可能性を示唆する潜伏演出を実行させて、確変状態が付与されるか否かを秘匿し、
前記入球率向上状態が付与されていないときに、前記図柄決定手段が第５大当り図柄を決定した場合、図柄変動ゲーム中又は大当り遊技中に、前記潜伏演出を実行させて確変状態が付与されるか否かを秘匿する一方、前記入球率向上状態が付与されているときに、前記図柄決定手段が第５大当り図柄を決定した場合、確変状態が付与されることを認識させる確変演出を実行させ、
前記入球率向上状態が付与されていないときに、前記図柄決定手段が小当り図柄を決定した場合、小当り遊技を付与する図柄変動ゲーム及び小当り遊技にて確変状態付与の可能性を示唆する潜伏演出を実行させて、確変状態が付与されるか否かを秘匿する一方、前記入球率向上状態及び前記確変状態が付与されているときに、前記図柄決定手段が小当り図柄を決定した場合、確変演出又は潜伏演出を実行させ、前記入球率向上状態が付与されているときであって前記確変状態が付与されていないときに、前記図柄決定手段が小当り図柄を決定した場合、潜伏演出を実行させ、
前記遊技情報出力手段は、前記第１の大当り遊技が付与された場合、前記第２の大当り遊技が付与された場合及び前記入球率向上状態が付与されていないときに前記小当り遊技が付与された場合に、前記当り遊技情報を出力する一方、前記入球率向上状態が付与されているときに前記小当り遊技が付与された場合には前記当り遊技情報を出力しないことを特徴とする遊技機。
【発明の詳細な説明】
【技術分野】
【０００１】
本発明は、遊技情報を外部に出力する遊技機に関するものである。
【背景技術】
【０００２】
従来、遊技機の一種であるパチンコ機では、例えば、液晶ディスプレイ型の可変表示器を備え、始動入賞口への遊技球の入賞検知を契機として、当該可変表示器において複数種類の図柄を変動させて図柄組み合わせを導出する図柄組み合わせゲーム（図柄変動ゲーム）が行われている。そして、遊技者は、図柄変動ゲームで導出され、最終的に停止表示された図柄組み合わせから大当り又ははずれを認識できる。大当りとなると、原則として大入賞口が所定回数開放する大当り遊技が付与され、多数の賞球が払い出されるチャンスを得ることができる。また、大当りには、大当り遊技終了後の遊技状態として、大当りへの当選確率が低確率から高確率に向上する確率変動（以下、「確変」と示す）状態を付与する確変大当りと、確変状態を付与しない非確変大当りとがある。また、大当り遊技終了後には、始動入賞口の開閉羽根を開動作させるか否かの抽選結果を導出する普通図柄変動ゲームの変動時間が短縮されるとともに、作動ゲートの通過に基づく普通図柄変動ゲームの抽選確率（当選確率）が低確率である通常確率から高確率に変動する入球率向上状態が付与される場合がある。
【０００３】
以上のようなパチンコ機は、遊技店側が営業データの管理を行うために、払い出した賞球個数、実行された図柄組み合わせゲームの回数、大当りの回数、確変状態の有無及び入球率向上状態の有無等の各種遊技情報を外部のホールコンピュータに出力するようになっている（例えば、特許文献１、特許文献２）。また、パチンコ機の中には、大当り遊技終了後から実行された図柄組み合わせゲームの回数及び大当り回数に関する遊技情報を遊技者が見る報知ランプに出力するようになっているものも存在する。
【特許文献１】特開平６−１６５８６１号公報
【特許文献２】特開平１１−２６７２８７号公報
【発明の開示】
【発明が解決しようとする課題】
【０００４】
ところで、近年、大当り遊技終了後に確変状態が付与されたか否かを秘匿する潜伏確変機能を有するパチンコ機が存在する。このようなパチンコ機では、大入賞口が開放する回数が少なく多数の賞球払出しが望めないが確変状態が付与される２ラウンド確変大当りと、確変状態が付与されない２ラウンド非確変大当りと、当該２ラウンド確変大当り（又は２ラウンド非確変大当り）が付与されるときと同じ態様で大入賞口が開放する小当りが付与されるようになっている。そして、２ラウンド確変大当りと、２ラウンド非確変大当りと、小当りのいずれが付与されたかが、演出態様などの見た目から判断できないようになっている。また、このように確変状態を秘匿する（認識させない）パチンコ機では、確変状態を秘匿したこと及び通常状態とは異なることを認識させて、遊技者の興趣を向上させるために通常状態時とは異なる演出内容で図柄組み合わせゲームが行われる演出モードが設定される場合がある。
【０００５】
しかしながら、可変表示器で内部的に確変状態が付与されているか否かを秘匿する演出や、内部的に確変状態が付与されていることを示唆する演出を行ったときであっても、ホールコンピュータに出力する当り回数（大当り及び小当りの回数を含む）に関する情報や、遊技者が見る報知ランプの当り回数が的確でない場合がある。この場合、潜伏確変機能や演出モードを付与する意味が無くなったり、遊技者に不満を与えたりする虞がある。
【０００６】
すなわち、潜伏確変機能やモード演出にて遊技の興趣を向上させるためには、遊技機メーカーとしては、２ラウンド確変大当りや、２ラウンド非確変大当り及び小当りのいずれが付与されたかを外部に報知することは、確変状態を秘匿しようとしても確変状態が付与されているか否かが知られてしまうので行いたくない。同様に、遊技店側としても多数の賞球払出しが望めない２ラウンド確変大当り、２ラウンド非確変大当り及び小当りの情報は、釘調整などを行うためのベース（１００球あたりいくつの賞球が払い戻されるかの戻り率）の計算をする上では、意味をなさない情報である。更に、２ラウンド確変大当り、２ラウンド非確変大当り及び小当りの回数を当り回数としてカウントされて報知ランプにて報知されたとしても、多数の賞球が払い出されないので、遊技者にとっても意味が無く、逆に大当りとなったのに、賞球が払い出されないので損をしたような気分を与える虞がある。
【０００７】
また、始動入賞口の開閉羽根の開放する割合が増える入球率向上状態が、２ラウンド非確変大当り遊技終了後、所定回数の図柄変動ゲームが終了するまで、付与されて遊技者にとって有利な状態となる場合がある。このときに、小当りの回数を当り回数としてカウントされた場合、遊技者に、予め決められた回数の図柄変動ゲームが終了する前に入球率向上状態が終了するように勘違いさせてしまう虞がある。つまり、入球率向上状態が付与されない小当りと、入球率向上状態が付与される２ラウンド非確変大当りの大入賞口の開放態様は同じであるために、報知ランプの報知によって２ラウンド大当りが付与されたか否かを遊技者が判断した場合、報知されてから入球率向上状態が終了するゲーム数は、小当りの有無で左右されてしまい、混乱させる虞がある。
【０００８】
そこで、２ラウンド確変大当り、２ラウンド非確変大当り及び小当りを除く多数の賞球払出しが期待できる大当り（すなわち、１５ラウンド大当り）にのみ情報を出力し、報知ランプにあたり回数を報知させる方法が考えられる。しかしながら、２ラウンド確変大当り、２ラウンド非確変大当りの場合であっても、始動入賞口の開閉羽根の開放する割合が増える入球率向上状態が付与されていない状態から付与されて遊技者にとって有利な状態となる場合もある。この場合には遊技者は有利になったことを認識できることから、秘匿する必要がなく、また、そこまで一律に除かれてしまった場合、報知される大当り回数が少なくなり、遊技者になかなか大当りとならないとの印象を与え、遊技されなくなる虞がある。
【０００９】
本発明は、このような実情に鑑みてなされたものであり、その目的は、遊技者及び遊技店にとって的確な遊技情報を提供することができる遊技機を提供することにある。
【課題を解決するための手段】
【００１０】
上記目的を達成するために、請求項１に記載の発明は、遊技球の入賞を検知する始動入賞口と、前記始動入賞口による遊技球の入賞検知を契機に複数種類の図柄を変動させる図柄変動ゲームを実行する演出実行手段を備え、前記図柄変動ゲームで予め決められた大当り表示結果が表示された場合には大当り遊技が付与される遊技機において、前記始動入賞口による遊技球の入賞検知を契機に当り判定用乱数の値を取得する乱数取得手段と、前記図柄変動ゲームの開始時に、前記乱数取得手段が取得した当り判定用乱数の値と予め定めた大当り判定値とを比較し、大当りか否かを判定する大当り判定手段と、前記大当り判定手段の判定結果が否定の場合、前記乱数取得手段が取得した当り判定用乱数の値と予め定めた小当り判定値とを比較し、小当りか否かを判定する小当り判定手段と、前記大当り判定手段又は前記小当り判定手段の判定結果が肯定の場合には、前記図柄変動ゲームの演出時間を特定可能な変動パターンを複数種類の当り演出用の変動パターンの中から決定する一方、前記大当り判定手段及び前記小当り判定手段の判定結果が否定の場合には、前記変動パターンを複数種類のはずれ演出用の変動パターンの中から決定する変動パターン決定手段と、前記大当り判定手段の判定結果が肯定の場合、図柄変動ゲーム終了後、特別入賞口が開放される第１の大当り遊技と、前記第１の大当り遊技よりも前記特別入賞口の開放時間が短い第２の大当り遊技のうち、何れの大当り遊技を付与するかを決定する大当り遊技決定手段と、前記大当り判定手段の判定結果が肯定の場合、前記大当り遊技決定手段が決定した内容で、図柄変動ゲーム終了後、前記大当り遊技を付与する大当り遊技付与手段と、前記小当り判定手段の判定結果が肯定の場合、図柄変動ゲーム終了後、前記第２の大当り遊技における前記特別入賞口の開放態様と同じ態様にて前記特別入賞口を開放させる小当り遊技を付与する小当り遊技付与手段と、図柄変動ゲームの結果を示す特別図柄を決定する図柄決定手段と、前記大当り遊技終了後に、前記始動入賞口への遊技球の入賞確率を向上させる入球率向上状態を付与するか否かを決定する入球率向上状態決定手段と、前記入球率向上状態決定手段が入球率向上状態を付与することを決定した場合、前記入球率向上状態を付与する入球率向上状態付与手段と、前記大当り判定手段の判定結果が肯定の場合、大当り遊技終了後、前記大当り判定手段が肯定判定する確率が通常状態における確率よりも高確率となる確変状態を付与するか否かを決定する確変判定手段と、前記確変判定手段が確変状態を付与するとことを決定した場合、確変状態を付与する確変付与手段と、前記変動パターン決定手段が決定した変動パターンに基づき、前記図柄変動ゲームを前記演出実行手段に実行させ、前記大当り判定手段の判定結果が肯定の場合には、大当り遊技に係わる遊技演出を前記演出実行手段に実行させる演出制御手段と、大当り遊技中又は小当り遊技中であることを示す当り遊技情報を外部装置に出力する遊技情報出力手段と、を備え、前記図柄決定手段は、前記大当り判定手段の判定結果が肯定の場合、予め決められた第１大当り図柄、第２大当り図柄及び第３大当り図柄の中から特別図柄を決定し、前記小当り判定手段の判定結果が肯定の場合、特別図柄として予め決められた小当り図柄を決定し、前記大当り判定手段及び前記小当り判定手段の判定結果が否定の場合、特別図柄としてはずれ図柄を決定するように構成され、前記大当り遊技決定手段は、前記図柄決定手段が第１大当り図柄を決定した場合には、第１の大当り遊技を付与することを決定する一方、前記図柄決定手段が第２大当り図柄又は第３大当り図柄を決定した場合には、前記第２の大当り遊技を付与することを決定し、前記確変判定手段は、前記図柄決定手段が第１大当り図柄又は第２大当り図柄を決定した場合、確変状態を付与することを決定する一方、前記図柄決定手段が第３大当り図柄を決定した場合には、確変状態を付与しないことを決定し、前記入球率向上状態決定手段は、前記図柄決定手段が第１大当り図柄を決定した場合には、前記入球率向上状態を付与することを決定し、前記図柄決定手段が第２大当り図柄を決定した場合であって前記大当り判定手段が肯定判定したときに入球率向上状態が付与されていない場合には、入球率向上状態を付与しないことを決定する一方、前記図柄決定手段が第２大当り図柄を決定した場合であって前記大当り判定手段が肯定判定したときに入球率向上状態が付与されていた場合には、入球率向上状態を付与することを決定し、前記図柄決定手段が第３大当り図柄を決定した場合であって前記大当り判定手段が肯定判定したときに入球率向上状態が付与されていない場合には、入球率向上状態を付与しないことを決定する一方、前記図柄決定手段が第３大当り図柄を決定した場合であって前記大当り判定手段が肯定判定したときに入球率向上状態が付与されていた場合には、予め決められた回数の図柄変動ゲームが終了するまで入球率向上状態を付与することを決定するように構成され、前記遊技情報出力手段は、前記第１の大当り遊技が付与された場合、前記第２の大当り遊技が付与された場合、及び前記入球率向上状態が付与されていないときに前記小当り遊技が付与された場合に、前記当り遊技情報を出力する一方、前記入球率向上状態が付与されているときに前記小当り遊技が付与された場合には前記当り遊技情報を出力しないことを要旨とする。
【００１１】
請求項２に記載の発明は、請求項１に記載の発明において、前記演出制御手段は、前記図柄決定手段が第１大当り図柄を決定した場合、図柄変動ゲーム中又は大当り遊技中に確変状態が付与されることを認識させる確変演出を実行させ、前記図柄決定手段が第２大当り図柄、第３大当り図柄又は小当り図柄を決定した場合であって前記入球率向上状態が付与されていない場合、図柄変動ゲーム中又は大当り遊技中に確変状態付与の可能性を示唆する潜伏演出を実行させて、確変状態が付与されるか否かを秘匿することを要旨とする。
【００１２】
請求項３に記載の発明は、遊技球の入賞を検知する始動入賞口と、前記始動入賞口による遊技球の入賞検知を契機に複数種類の図柄を変動させる図柄変動ゲームを実行する演出実行手段を備え、前記図柄変動ゲームで予め決められた大当り表示結果が表示された場合には大当り遊技が付与される遊技機において、前記始動入賞口による遊技球の入賞検知を契機に当り判定用乱数の値を取得する乱数取得手段と、前記図柄変動ゲームの開始時に、前記乱数取得手段が取得した当り判定用乱数の値と予め定めた大当り判定値とを比較し、大当りか否かを判定する大当り判定手段と、前記大当り判定手段の判定結果が否定の場合、前記乱数取得手段が取得した当り判定用乱数の値と予め定めた小当り判定値とを比較し、小当りか否かを判定する小当り判定手段と、前記大当り判定手段又は前記小当り判定手段の判定結果が肯定の場合には、前記図柄変動ゲームの演出時間を特定可能な変動パターンを複数種類の当り演出用の変動パターンの中から決定する一方、前記大当り判定手段及び前記小当り判定手段の判定結果が否定の場合には、前記変動パターンを複数種類のはずれ演出用の変動パターンの中から決定する変動パターン決定手段と、前記大当り判定手段の判定結果が肯定の場合、図柄変動ゲーム終了後、特別入賞口が開放される第１の大当り遊技と、前記第１の大当り遊技よりも前記特別入賞口の開放時間が短い第２の大当り遊技のうち、何れの大当り遊技を付与するかを決定する大当り遊技決定手段と、前記大当り判定手段の判定結果が肯定の場合、前記大当り遊技決定手段が決定した内容で、図柄変動ゲーム終了後、前記大当り遊技を付与する大当り遊技付与手段と、前記小当り判定手段の判定結果が肯定の場合、図柄変動ゲーム終了後、前記第２の大当り遊技における前記特別入賞口の開放態様と同じ態様にて前記特別入賞口を開放させる小当り遊技を付与する小当り遊技付与手段と、図柄変動ゲームの結果を示す特別図柄を決定する図柄決定手段と、前記大当り遊技終了後に、前記始動入賞口への遊技球の入賞確率を向上させる入球率向上状態を付与するか否かを決定する入球率向上状態決定手段と、前記入球率向上状態決定手段が入球率向上状態を付与することを決定した場合、前記入球率向上状態を付与する入球率向上状態付与手段と、前記大当り判定手段の判定結果が肯定の場合、大当り遊技終了後、前記大当り判定手段が肯定判定する確率が通常状態における確率よりも高確率となる確変状態を付与するか否かを決定する確変判定手段と、前記確変判定手段が確変状態を付与するとことを決定した場合、確変状態を付与する確変付与手段と、前記変動パターン決定手段が決定した変動パターンに基づき、前記図柄変動ゲームを前記演出実行手段に実行させ、前記大当り判定手段の判定結果が肯定の場合には、大当り遊技に係わる遊技演出を前記演出実行手段に実行させる演出制御手段と、大当り遊技中又は小当り遊技中であることを示す当り遊技情報を外部装置に出力する遊技情報出力手段と、を備え、前記図柄決定手段は、前記大当り判定手段の判定結果が肯定の場合、予め決められた第１大当り図柄、第２大当り図柄、第３大当り図柄、第４大当り図柄及び第５大当り図柄の中から特別図柄を決定し、前記小当り判定手段の判定結果が肯定の場合、特別図柄として予め決められた小当り図柄を決定し、前記大当り判定手段及び前記小当り判定手段の判定結果が否定の場合、特別図柄としてはずれ図柄を決定するように構成され、前記大当り遊技決定手段は、前記図柄決定手段が前記第１大当り図柄を決定した場合には、前記第１の大当り遊技を付与することを決定する一方、前記図柄決定手段が前記第２大当り図柄、前記第３大当り図柄、前記第４大当り図柄又は前記第５大当り図柄を決定した場合には、前記第２の大当り遊技を付与することを決定するように構成され、前記確変判定手段は、前記図柄決定手段が第１大当り図柄、第２大当り図柄、第４大当り図柄又は第５大当り図柄を決定した場合、確変状態を付与することを決定する一方、前記図柄決定手段が第３大当り図柄を決定した場合には、確変状態を付与しないことを決定するように構成され、前記入球率向上状態決定手段は、前記図柄決定手段が第１大当り図柄を決定した場合には、次の大当り遊技が付与されるまで前記入球率向上状態を付与することを決定し、前記図柄決定手段が第２大当り図柄又は第３大当り図柄を決定した場合であって前記大当り判定手段が肯定判定したときに入球率向上状態が付与されていない場合には、入球率向上状態を付与しないことを決定する一方、前記図柄決定手段が第２大当り図柄又は第３大当り図柄を決定した場合であって前記大当り判定手段が肯定判定したときに入球率向上状態が付与されていた場合には、予め決められた回数の図柄変動ゲームが終了するまで入球率向上状態を付与することを決定し、前記図柄決定手段が第４大当り図柄を決定した場合には、次の大当り遊技が付与されるまで入球率向上状態を付与することを決定し、前記図柄決定手段が第５大当り図柄を決定した場合であって前記大当り判定手段が肯定判定したときに入球率向上状態が付与されていない場合には、入球率向上状態を付与しないことを決定する一方、前記図柄決定手段が第５大当り図柄を決定した場合であって前記大当り判定手段が肯定判定したときに入球率向上状態が付与されていた場合には、次の大当り遊技が付与されるまで入球率向上状態を付与することを決定するように構成され、前記演出制御手段は、前記図柄決定手段が第１大当り図柄又は第４大当り図柄を決定した場合には、図柄変動ゲーム中又は大当り遊技中に、確変状態が付与されることを認識させる確変演出を実行させ、前記図柄決定手段が第２大当り図柄又は第３大当り図柄を決定した場合、図柄変動ゲーム中又は大当り遊技中に、確変状態付与の可能性を示唆する潜伏演出を実行させて、確変状態が付与されるか否かを秘匿し、前記入球率向上状態が付与されていないときに、前記図柄決定手段が第５大当り図柄を決定した場合、図柄変動ゲーム中又は大当り遊技中に、前記潜伏演出を実行させて確変状態が付与されるか否かを秘匿する一方、前記入球率向上状態が付与されているときに、前記図柄決定手段が第５大当り図柄を決定した場合、確変状態が付与されることを認識させる確変演出を実行させ、前記入球率向上状態が付与されていないときに、前記図柄決定手段が小当り図柄を決定した場合、小当り遊技を付与する図柄変動ゲーム及び小当り遊技にて確変状態付与の可能性を示唆する潜伏演出を実行させて、確変状態が付与されるか否かを秘匿する一方、前記入球率向上状態及び前記確変状態が付与されているときに、前記図柄決定手段が小当り図柄を決定した場合、確変演出又は潜伏演出を実行させ、前記入球率向上状態が付与されているときであって前記確変状態が付与されていないときに、前記図柄決定手段が小当り図柄を決定した場合、潜伏演出を実行させ、前記遊技情報出力手段は、前記第１の大当り遊技が付与された場合、前記第２の大当り遊技が付与された場合及び前記入球率向上状態が付与されていないときに前記小当り遊技が付与された場合に、前記当り遊技情報を出力する一方、前記入球率向上状態が付与されているときに前記小当り遊技が付与された場合には前記当り遊技情報を出力しないことを要旨とする。
【発明の効果】
【００１３】
本発明によれば、遊技者及び遊技店にとって的確な遊技情報を提供することができる。
【発明を実施するための最良の形態】
【００１４】
以下、本発明を遊技機の一種であるパチンコ遊技機（以下「パチンコ機」と示す）に具体化した一実施形態を図１〜図１９に基づいて説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を保護するための保護ガラスが装着されるガラス枠を備えた前枠１４と、上球皿１５がそれぞれ横開き状態で開閉可能に組み付けられている。なお、中枠１２及び前枠１４には、開放されたときに開放検知信号を出力する扉開放センサＳＥ０が設けられている（図３参照）。
【００１５】
また、前枠１４の前面側及び遊技盤１３の遊技領域１３ａには、発光体（ＬＥＤ、ランプなど）の発光（点灯（点滅））により、発光演出を実行する発光装置（演出実行手段）としての装飾ランプ１６が設けられている。また、外枠１１の下部には、各種音声を出力し、音声出力に基づく遊技演出を行う音声出力手段（演出実行手段）としてのスピーカ１７が配置されている。中枠１２の下部には、下球皿１８及び発射装置１９が装着されている。そして、遊技者が発射装置１９を操作して、該発射装置１９を駆動させることにより、上球皿１５内の遊技球が遊技盤１３の遊技領域１３ａへ発射されるようになっている。
【００１６】
そして、遊技盤１３の遊技領域１３ａの右下方には、７セグメント型の表示装置（演出実行手段）としての特図表示器Ｈ１が配設されている。また、遊技盤１３の遊技領域１３ａの略中央に配設されたセンター役物２０は、液晶ディスプレイ型の表示装置（演出実行手段）としての可変表示器Ｈ２を備えている。図２に示すように、可変表示器Ｈ２はセンター役物２０の中央に設けられている。特図表示器Ｈ１では、複数種類の図柄を変動させて表示する図柄変動ゲームが行われる。可変表示器Ｈ２では、特図表示器Ｈ１で行われる図柄変動ゲームに係わる表示演出が行われるようになっている。具体的には、可変表示器Ｈ２では、変動画像（又は画像表示）に基づく表示演出が行われるとともに、複数種類の図柄を複数列で変動させて図柄組み合わせを表示する図柄変動ゲーム（以下、図柄組み合わせゲームと示す場合がある）が行われる。
【００１７】
そして、図柄変動ゲームにおいて特図表示器Ｈ１では、複数種類の特別図柄（以下、「特図」と示す場合がある）を１列で変動させて特図を表示する。この特図は、大当りか否かなどの内部抽選の結果を示す報知用の図柄である。一方、図柄変動ゲームに係わる表示演出において可変表示器Ｈ２では、複数種類の飾り図柄（以下、「飾図」と示す場合がある）を複数列（本実施形態では３列）で変動させて各列毎に飾図を表示する。この飾図は、表示演出を多様化するために用いられる演出用図柄である。
【００１８】
そして、特図表示器Ｈ１では、図柄変動ゲームの開始により同時に図柄の変動表示が開始され、該ゲームの終了と同時に特図が確定停止表示される。また、可変表示器Ｈ２では、図柄変動ゲームの開始により同時に飾図の変動表示が開始され、該ゲーム終了前に飾図がゆれ変動状態で一旦停止表示され、該ゲームの終了と同時に各列の飾図が確定停止表示される。「変動表示」とは、図柄を表示する表示器に定める表示領域内において表示される図柄の種類が変化している状態であり、「一旦停止表示」とは、前記表示領域内において図柄がゆれ変動状態で表示されている状態である。また、「確定停止表示」とは、前記表示領域内において図柄が確定停止している状態である。なお、特図表示器Ｈ１と可変表示器Ｈ２では、同時に図柄変動ゲームと図柄変動ゲームに係わる表示演出が開始され、同時に終了する（すなわち、同時に特図と飾図が確定停止表示される）。
【００１９】
本実施形態において特図表示器Ｈ１には、複数種類（本実施形態では６０種類）の特図の中から、大当り判定及び小当り判定の抽選結果に対応する１つの特図が選択され、その選択された特図が図柄変動ゲームの終了によって個別に確定停止表示される。６０種類の特図は、大当りを認識し得る図柄となる５４種類の大当り図柄（大当り表示結果に相当する）と、小当りを認識し得る図柄となる５種類の小当り図柄（小当り表示結果に相当する）と、はずれを認識し得る図柄となる１種類のはずれ図柄とに分類される。なお、小当り抽選は、大当り判定に当選しなかった場合に行うようになっている。また、大当り図柄が表示された場合、遊技者には、大当り遊技が付与される。また、小当り図柄が表示された場合、遊技者には、小当り遊技が付与される。本実施形態の大当り遊技及び小当り遊技については後で詳細に説明する。
【００２０】
また、本実施形態において可変表示器Ｈ２には、各列毎に［１］、［２］、［３］、［４］、［５］、［６］、［７］、［８］、［９］の９種類の数字が飾図として表示されるようになっている。そして、本実施形態において可変表示器Ｈ２は、特図表示器Ｈ１に比較して大きい表示領域で構成されるとともに、飾図は特図に比較して遥かに大きく表示されるようになっている。このため、遊技者は、可変表示器Ｈ２に停止表示された図柄組み合わせから大当り又ははずれを認識できる。可変表示器Ｈ２に停止表示された全列の図柄が同一種類の場合には、その図柄組み合わせ（［２２２］［７７７］など）から大当りを認識できる。この大当りを認識できる図柄組み合わせが飾図による大当りの図柄組み合わせ（大当り図柄）となる。大当りの図柄組み合わせが確定停止表示されると、遊技者には、図柄変動ゲームの終了後に大当り遊技が付与される。一方、可変表示器Ｈ２に確定停止表示された全列の図柄が異なる種類の場合、又は１列の図柄が他の２列の図柄とは異なる種類の場合には、その図柄組み合わせ（［１２３］［１２２］［７５７］など）からはずれを認識できる。このはずれを認識できる図柄組み合わせが飾図によるはずれの図柄組み合わせ（はずれ図柄）となる。なお、はずれの図柄組み合わせの中でも所定の図柄組み合わせ（本実施形態では、［１９１］［２１２］［３２３］［４３４］［５４５］［６５６］［７６７］［８７８］［９８９］）が表示された場合には、小当り遊技又は大当り遊技のいずれかが付与されることを認識できる。この小当り遊技又は大当り遊技を認識できる図柄組み合わせが大当り判定の確率が低確率から高確率となる確率変動状態が付与される可能性を示唆する確変示唆の図柄組み合わせとなる。
【００２１】
また、本実施形態において、可変表示器Ｈ２における各列は、図柄変動ゲームが開始すると、予め定めた変動方向（縦スクロール方向）に沿って飾図が変動表示されるようになっている。そして、図柄変動ゲームが開始すると（各列の飾図が変動を開始すると）、可変表示器Ｈ２において遊技者側から見て左列（左図柄）→右列（右図柄）→中列（中図柄）の順に飾図が一旦停止表示されるようになっている。そして、一旦停止表示された左図柄と右図柄が同一種類の場合には、その図柄組み合わせ（［１↓１］など、「↓」は変動中を示す）からリーチ状態を認識できる。リーチ状態は、複数列のうち、特定列（本実施形態では左列と右列）の飾図が同一種類となって一旦停止表示され、かつ前記特定列以外の列（本実施形態では中列）の飾図が変動表示されている状態である。このリーチ状態を認識できる図柄組み合わせが飾図によるリーチの図柄組み合わせとなる。また、本実施形態のパチンコ機１０では、図柄変動ゲームの開始後、最初に飾図を一旦停止表示させる左列が第１停止表示列になるとともに、次に飾図を一旦停止表示させる右列が第２停止表示列になり、さらに最後に飾図を一旦停止表示させる中列が第３停止表示列となる。
【００２２】
また、可変表示器Ｈ２には、特図表示器Ｈ１の表示結果に応じた図柄組み合わせが表示されるようになっている。より詳しくは、特図表示器Ｈ１の特図による図柄と、可変表示器Ｈ２の飾図による図柄組み合わせが対応されており、図柄変動ゲームが終了すると、特図による図柄と飾図による図柄組み合わせが対応して確定停止表示されるようになっている。例えば、特図表示器Ｈ１に大当り図柄が確定停止表示される場合には、可変表示器Ｈ２にも［２２２］や［４４４］などの大当りの図柄組み合わせが確定停止表示されるようになっている。また、特図表示領域Ｈ１にはずれ図柄が停止表示される場合には、可変表示器Ｈ２にも［１５１］や［３４５］などのはずれの図柄組み合わせが確定停止表示されるようになっている。なお、特図に対する飾図の図柄組み合わせは一対一とは限らず、１つの特図に対して複数の飾図による図柄組み合わせの中から１つの飾図による図柄組み合わせが選択されるようになっている。
【００２３】
以上のように、本実施形態の可変表示器Ｈ２では、特図表示器Ｈ１で行われる図柄変動ゲーム（１列の図柄を変動表示させる図柄変動ゲーム）に係わる表示演出（３列の図柄を変動表示させて図柄の組み合わせを表示させる図柄変動ゲーム）が行われるようになっている。
【００２４】
また、遊技盤１３の右下方（特図表示器Ｈ１の左側）には、２つのＬＥＤから構成される普通図柄表示器Ｈ１０が配設されている。この普通図柄表示器Ｈ１０では、複数種類の普通図柄（以下、「普図」と示す場合がある）を変動させて１つの普図を導出する普通図柄による図柄組み合わせゲーム（以下、「普図ゲーム」と示す場合がある）が行われるようになっている。本実施形態では、普図を２つのＬＥＤの発光態様にて３種類示しており、具体的には、２つのＬＥＤが共に点灯する、上側ＬＥＤだけが点灯する、下側ＬＥＤだけが点灯することにより、複数種類の普図を示している。なお、以下では、説明の都合上、２つのＬＥＤが共に点灯することにより示す普図を普図「０」とし、上側ＬＥＤだけ（又は下側ＬＥＤだけ）が点灯することにより示す普図を普図「１」とする。
【００２５】
遊技者は、普図ゲームで最終的に表示された図柄（普図ゲームで導出された表示結果）から普通当り又ははずれを認識できる。普通図柄表示器Ｈ１０に表示された普図が「１」の場合には、普通当りを認識できる。この普通当りを認識できる普図が普通当りの表示結果となる。普通当りの表示結果が表示された場合、遊技者には、普通当り遊技が付与される。また、普通図柄表示器Ｈ１０に表示された普図が「０」である場合には、その普図からはずれを認識できる。このはずれを認識できる普図がはずれの表示結果となる。
【００２６】
また、センター役物２０の下方には、図示しないアクチュエータ（ソレノイド、モータなど）の作動により開閉動作を行う開閉羽根２１を備えた始動入賞口２２が配設されている。始動入賞口２２の奥方には、入賞した遊技球を検知する始動口センサＳＷ１（図３に示す）が設けられている。始動入賞口２２は、遊技球の入賞検知を契機に、図柄変動ゲームの始動条件を付与し得る。また、始動入賞口２２の下方には、図示しないアクチュエータ（ソレノイド、モータなど）の作動により開閉動作を行う大入賞口扉２４を備えた大入賞口２３（特別入賞口）が配設されている。そして、大当り遊技が付与されると、大入賞口扉２４の開動作によって大入賞口２３が開放されて遊技球が入賞可能となるため、遊技者は、多数の賞球が獲得できるチャンスを得る場合がある。
【００２７】
また、本実施形態のパチンコ機１０は、始動入賞口２２へ遊技球が入賞した場合、その入賞した遊技球の個数を記憶し、始動保留球の記憶数（保留記憶数）として機内部（主制御基板３０のＲＡＭ３０ｃ）で記憶されるようになっている。図柄変動ゲームが行われている場合に累積された保留記憶数は、保留中（図柄変動ゲーム待機中）の図柄変動ゲームの回数を示している。保留記憶数は、始動入賞口２２に遊技球が入賞することで１加算され、図柄変動ゲームの開始により１減算されるようになっている。したがって、図柄変動ゲーム中に始動入賞口２２へ遊技球が入賞すると、保留記憶数は更に加算され、所定の上限数（本実施形態では４個）まで累積されるようになっている。そして、図２に示すように、遊技盤１３の右下部（特図表示器Ｈ１の左側であって、普通図柄表示器Ｈ１０の下方）には、保留記憶数に基づく保留中の図柄変動ゲームの回数を遊技者に報知するための保留記憶数表示部Ｌが配設されている。
【００２８】
保留記憶数表示部Ｌは、保留ランプＬ１、保留ランプＬ２、保留ランプＬ３及び保留ランプＬ４からなる複数（本実施形態では４個）のＬＥＤからなる発光手段によって構成されている。前記各保留ランプＬ１〜Ｌ４の点灯個数により、保留中の図柄変動ゲームの回数を遊技者に報知している。例えば、保留ランプＬ１のみが点灯している場合には１回の図柄変動ゲームが保留中であることを示し、保留ランプＬ１〜Ｌ４の全てが点灯している場合には４回の図柄変動ゲームが保留中であることを示している。
【００２９】
また、センター役物２０の左方には、作動ゲート２５が配設されている。作動ゲート２５の奥方には、入賞（通過）した遊技球を検知するゲートセンサＳＷ２（図３に示す）が設けられている。作動ゲート２５は、遊技球の入賞検知（通過検知）を契機に、普図ゲームの始動条件を付与し得る。普図ゲームは、開閉羽根２１を開状態とするか否かの抽選結果を導出するために行われる演出である。この普図当り遊技が付与されると、開閉羽根２１の開放によって始動入賞口２２に遊技球を入賞させやすくなり、遊技者は、図柄変動ゲームの始動条件を容易に獲得できるチャンスを得ることができる。
【００３０】
また、本実施形態のパチンコ機１０は、大当り遊技終了後に遊技者に有利な特別遊技状態として確率変動（以下、「確変」と示す）機能を備えている。確変機能は、確定停止表示された大当り図柄（特図）の種類が予め定めた確変図柄であることを条件として、大当り遊技終了後に大当りの抽選確率（当選確率）を低確率（通常状態）である通常確率（本実施形態では４／１２２３）から高確率（本実施形態では４０／１２２３）に変動させる確変状態（確率変動状態）を付与する機能である。本実施形態では、大当り遊技終了後に確変状態が付与される大当りが確変大当りであり、確変状態が付与されない大当りが非確変大当りとなる。また、確変状態は、次の大当り遊技が付与されるまでの間、付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。
【００３１】
また、確変状態が付与されると、開閉羽根２１を開動作させるか否かの抽選結果を導出する普図ゲームの変動時間が短縮される、及び普図ゲームの普通当り確率が通常確率から高確率に変動する入球率向上状態が特典として付与される場合がある。この入球率向上状態において、開閉羽根２１は、普図ゲームにおいて当選した際、通常状態（非確変状態）である場合とは異なる動作パターンで開閉動作するようになっている。すなわち、通常状態時に普図ゲームに当選する場合には、開閉羽根２１が１回開放し、開放してから３００ｍｓ経過するまで開放状態を維持するようになっている。その一方、入球率向上状態時に普図ゲームに当選する場合には、開閉羽根２１が３回開放するとともに、１回の開放において開放してから１６００ｍｓが経過するまで開放状態を維持するようになっている。つまり、開閉羽根２１は、入球率向上状態が付与されている場合、通常状態が付与されている状態に比較して、合計開放時間が長く、遊技者にとって有利に動作するように設定されている。
【００３２】
なお、開放してから規定時間経過する前であっても、入球上限個数（例えば、１０球）の遊技球が入球したときには、開閉羽根２１は閉鎖するようになっている。同様に、所定回数開放していなくても、入球上限個数（例えば、１０球）の遊技球が入球したときには、開閉羽根２１は閉鎖するようになっている。また、本実施形態の入球率向上状態は、確変図柄（大当り遊技）の種類及び確変大当りとなる図柄変動ゲームがどのような遊技状態で行われたかによって付与されるか否かが決定される。
【００３３】
また、本実施形態のパチンコ機１０は、非確変状態となる大当り遊技終了後に遊技者に有利な特別遊技状態として変動時間短縮（以下、「時短」と示す）状態を付与する時短機能を備えている。時短状態が付与されると、開閉羽根２１を開動作させるか否かの抽選結果を導出する普図ゲームの変動時間が短縮される、及び普図ゲームの当り確率が通常確率から高確率に変動する入球率向上状態が特典として付与されるようなっている。入球率向上状態において、開閉羽根２１は、前述同様、普図ゲームにおいて当選した際、通常状態である場合と異なる動作パターンで開閉動作するようになっている。
【００３４】
すなわち、通常状態時に普図ゲームに当選する場合には、開閉羽根２１が１回開放し、開放してから３００ｍｓ経過するまで開放状態を維持するようになっている。その一方で、入球率向上状態時に普図ゲームに当選する場合には、開閉羽根２１が３回開放するとともに、１回の開放において開放してから１６００ｍｓが経過するまで開放状態を維持するようになっている。つまり、開閉羽根２１は、時短状態が付与されている場合、通常状態が付与されている状態に比較して、遊技者にとって有利に動作するように設定されている。また、時短状態は、予め定めた回数（本実施形態では５０回）の図柄変動ゲームが行われる迄の間、又は前記回数に達する前に大当りが生起される迄の間、付与される。本実施形態では、非確変大当りとなるとき、大当り遊技終了後、時短状態が付与されるようになっている。
【００３５】
次に、本実施形態のパチンコ機１０に規定する大当り遊技及び小当り遊技について、図４に基づき詳しく説明する。
大当り遊技は、図柄変動ゲームにて各表示器Ｈ１〜Ｈ２に大当り図柄（及び大当りの図柄組み合わせ）が確定停止表示されて該ゲームの終了後、開始される。大当り遊技が開始すると、最初に大当り遊技の開始を示すオープニング演出が行われる。オープニング演出終了後には、大入賞口２３（の大入賞口扉２４）が開放されるラウンド遊技が予め定めた規定ラウンド数を上限（本実施形態では１５ラウンド、７ラウンド又は２ラウンドのいずれか）として複数回行われる。１回のラウンド遊技は、大入賞口２３の大入賞口扉２４の開閉が所定回数行われるまでであり、１回のラウンド遊技中に大入賞口２３は、規定個数（入球上限個数）の遊技球が入賞するまでの間、又は規定時間（ラウンド遊技時間）が経過するまでの間、開放される。また、ラウンド遊技では、ラウンド演出が行われる。そして、大当り遊技の終了を示すエンディング演出が行われ、大当り遊技は終了される。
【００３６】
そして、本実施形態のパチンコ機１０では、大当り判定に当選した場合、図４に示す６種類の大当り遊技の中から１つの大当り遊技が決定され、その決定された大当り遊技が付与されるようになっている。そして、６種類の大当り遊技のうち、何れの大当り遊技が付与されるかは、大当り抽選に当選した際に決定する特別図柄（大当り図柄）の種類に応じて決定されるようになっている。本実施形態において特図表示器Ｈ１に表示される５４種類の特別図柄の大当り図柄は、図４に示すように、図柄Ａ、図柄Ｂ、図柄Ｃ、図柄Ｄ、図柄Ｅ及び図柄Ｆの６つのグループに分類される。
【００３７】
そして、図柄Ａには特図表示器Ｈ１に表示される大当り図柄のうち９種類の大当り図柄が振り分けられている。同様に、図柄Ｂには特図表示器Ｈ１に表示される大当り図柄のうち９種類の大当り図柄が振り分けられている。図柄Ｃには特図表示器Ｈ１に表示される大当り図柄のうち９種類の大当り図柄が振り分けられている。図柄Ｄには特図表示器Ｈ１に表示される大当り図柄のうち２種類の大当り図柄が振り分けられている。図柄Ｅには特図表示器Ｈ１に表示される大当り図柄のうち７種類の大当り図柄が振り分けられている。図柄Ｆには特図表示器Ｈ１に表示される大当り図柄のうち１８種類の大当り図柄が振り分けられている。また、図４に示す図柄Ｇには、小当り遊技に対応する５種類の特別図柄（小当り図柄）が振分けられている。
【００３８】
図柄Ａに分類される大当り図柄が特図表示器Ｈ１に表示されたときに付与される大当り遊技は、規定ラウンド数が「１５回」に設定されているとともに、大当り遊技終了後に確変状態を付与する１５ラウンド大当り遊技である。以下、図柄Ａに分類される大当り図柄が特図表示器Ｈ１に表示されたときに付与される大当り遊技を「１５Ｒ確変大当り遊技」（第１の大当り遊技）と示す。１５Ｒ確変大当り遊技では、１回のラウンド遊技の入球上限個数（規定個数）が「９球」に設定されている。また、１５Ｒ確変大当り遊技における１５回のラウンド遊技では、各ラウンド遊技において大入賞口２３の大入賞口扉２４を「１回」開放させるように設定されている。また、１５Ｒ確変大当り遊技では、大当り抽選の当選時における遊技状態に関係なく、大当り遊技終了後に確変状態と、その確変状態の終了時まで入球率向上状態が付与されるようになっている。
【００３９】
また、１５Ｒ確変大当り遊技では、オープニング時間として「６（秒）」が、１回のラウンド遊技のラウンド遊技時間（規定時間）として「２５（秒）」が、エンディング時間として「１４．５（秒）」がそれぞれ設定されている。各ラウンド遊技は、入球上限個数分の遊技球が入球することにより終了する場合もある。このため、１５Ｒ確変大当り遊技において、１回のラウンド遊技のラウンド遊技時間である「２５（秒）」は最大時間となる。なお、１５Ｒ確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００４０】
図柄Ｂに分類される大当り図柄が特図表示器Ｈ１に表示されたときに付与される大当り遊技は、規定ラウンド数が「７回」に設定されているとともに、大当り遊技終了後に確変状態を付与する７ラウンド大当り遊技である。以下、図柄Ｂに分類される大当り図柄が特図表示器Ｈ１に表示されたときに付与される大当り遊技を「７Ｒ確変大当り遊技」（第１の大当り遊技）と示す。７Ｒ確変大当り遊技では、１回のラウンド遊技の入球上限個数（規定個数）が「９球」に設定されている。また、７Ｒ確変大当り遊技における７回のラウンド遊技では、各ラウンド遊技において大入賞口２３の大入賞口扉２４を「１回」開放させるように設定されている。また、７Ｒ確変大当り遊技では、大当り抽選の当選時における遊技状態に関係なく、大当り遊技終了後に確変状態と、その確変状態の終了時まで入球率向上状態が付与されるようになっている。
【００４１】
また、７Ｒ確変大当り遊技では、オープニング時間として「６（秒）」が、１回のラウンド遊技のラウンド遊技時間（規定時間）として「２５（秒）」が、エンディング時間として「１４．５（秒）」がそれぞれ設定されている。各ラウンド遊技は、入球上限個数分の遊技球が入球することにより終了する場合もある。このため、７Ｒ確変大当り遊技において、１回のラウンド遊技のラウンド遊技時間である「２５（秒）」は最大時間となる。なお、７Ｒ確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００４２】
図柄Ｃに分類される大当り図柄が特図表示器Ｈ１に表示されたときに付与される大当り遊技は、規定ラウンド数が「２回」に設定されているとともに、大当り遊技終了後に確変状態が付与される２ラウンド大当り遊技である。以下、図柄Ｃに分類される大当り図柄が特図表示器Ｈ１に表示されたときに付与される大当り遊技を「第１の２Ｒ確変大当り遊技」（第２の大当り遊技）と示す。第１の２Ｒ確変大当り遊技では、１回のラウンド遊技の入球上限個数（規定個数）が「９球」に設定されている。また、第１の２Ｒ確変大当り遊技における２回のラウンド遊技では、各ラウンド遊技において大入賞口２３（の大入賞口扉２４）をそれぞれ「１回」開放させるように設定されている。
【００４３】
また、第１の２Ｒ確変大当り遊技では、大当り抽選の当選時における遊技状態に応じて、大当り遊技終了後に確変状態及び入球率向上状態が付与される場合と、大当り遊技終了後に確変状態のみが付与される場合とがある。具体的には、大当り抽選の当選時において、入球率向上状態が付与されていなければ、大当り遊技終了後に確変状態のみが付与される（すなわち、入球率向上状態が０回付与される）。大当り抽選の当選時において、入球率向上状態が付与されていれば、大当り遊技終了後に確変状態及び入球率向上状態が付与される。なお、第１の２Ｒ確変大当り遊技終了後、入球率向上状態が付与された場合には、図柄変動ゲームが５０回行われるまで入球率向上状態が付与されるようになっている。
【００４４】
また、第１の２Ｒ確変大当り遊技では、オープニング時間として「０．００４（秒）」が、１回のラウンド遊技のラウンド遊技時間として「０．３（秒）」がそれぞれ設定されている。また、図柄Ｃが表示される場合であって大当り抽選の当選時に入球率向上状態が付与されていない場合（すなわち、第１の２Ｒ確変大当り遊技終了後に入球率向上状態が付与されない場合）、エンディング時間として「１．４（秒）」が設定されている。その一方、図柄Ｃが表示される場合であって大当り抽選の当選時に入球率向上状態が付与されている場合（すなわち、第１の２Ｒ確変大当り遊技終了後に入球率向上状態が付与される場合）、エンディング時間として「７．０（秒）」が設定されている。なお、第１の２Ｒ確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００４５】
また、各ラウンド遊技のラウンド遊技時間は、各ラウンド遊技が入球上限個数分の遊技球が入球することにより終了する場合もあることから、それぞれ最大時間となる。しかしながら、第１の２Ｒ確変大当り遊技のラウンド遊技時間（０．３（秒））は、１回のラウンド遊技において、大入賞口２３に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、第１の２Ｒ確変大当り遊技の各ラウンド遊技において、ラウンド遊技時間（０．３（秒））内に、入球上限個数となる「９球」の遊技球を発射して、入球させるのは実質的に無理である。
【００４６】
図柄Ｄに分類される大当り図柄が特図表示器Ｈ１に表示されたときに付与される大当り遊技は、規定ラウンド数が「２回」に設定されているとともに、大当り遊技終了後に確変状態が付与される２ラウンド大当り遊技である。以下、図柄Ｄに分類される大当り図柄が特図表示器Ｈ１に表示されたときに付与される大当り遊技を「第２の２Ｒ確変大当り遊技」（第２の大当り遊技）と示す。第２の２Ｒ確変大当り遊技では、１回のラウンド遊技の入球上限個数（規定個数）が「９球」に設定されている。また、第２の２Ｒ確変大当り遊技における２回のラウンド遊技では、各ラウンド遊技において大入賞口２３（の大入賞口扉２４）をそれぞれ「１回」開放させるように設定されている。
【００４７】
第２の２Ｒ確変大当り遊技では、大当り抽選の当選時における遊技状態に係わらず、大当り遊技終了後に確変状態及び入球率向上状態が付与される。なお、第２の２Ｒ確変大当り遊技終了後、次の大当り遊技が付与されるまで、入球率向上状態が付与されるようになっている。
【００４８】
また、第２の２Ｒ確変大当り遊技では、オープニング時間として「０．００４（秒）」が、１回のラウンド遊技のラウンド遊技時間として「０．３（秒）」が、エンディング時間として「７．０（秒）」がそれぞれ設定されている。なお、第２の２Ｒ確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００４９】
また、各ラウンド遊技のラウンド遊技時間は、各ラウンド遊技が入球上限個数分の遊技球が入球することにより終了する場合もあることから、それぞれ最大時間となる。しかしながら、第２の２Ｒ確変大当り遊技のラウンド遊技時間（０．３（秒））は、１回のラウンド遊技において、大入賞口２３に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、第２の２Ｒ確変大当り遊技の各ラウンド遊技において、ラウンド遊技時間（０．３（秒））内に、入球上限個数となる「９球」の遊技球を発射して、入球させるのは実質的に無理である。
【００５０】
図柄Ｅに分類される大当り図柄が特図表示器Ｈ１に表示されたときに付与される大当り遊技は、規定ラウンド数が「２回」に設定されているとともに、大当り遊技終了後に確変状態が付与される２ラウンド大当り遊技である。以下、図柄Ｅに分類される大当り図柄が特図表示器Ｈ１に表示されたときに付与される大当り遊技を「第３の２Ｒ確変大当り遊技」（第２の大当り遊技）と示す。第３の２Ｒ確変大当り遊技では、１回のラウンド遊技の入球上限個数（規定個数）が「９球」に設定されている。また、第３の２Ｒ確変大当り遊技における２回のラウンド遊技では、各ラウンド遊技において大入賞口２３（の大入賞口扉２４）をそれぞれ「１回」開放させるように設定されている。
【００５１】
また、第３の２Ｒ確変大当り遊技では、大当り抽選の当選時における遊技状態に応じて、大当り遊技終了後に確変状態及び入球率向上状態が付与される場合と、大当り遊技終了後に確変状態のみが付与される場合とがある。具体的には、大当り抽選の当選時において、入球率向上状態が付与されていなければ、大当り遊技終了後に確変状態のみが付与される。大当り抽選の当選時において、入球率向上状態が付与されていれば、大当り遊技終了後に確変状態及び入球率向上状態が付与される。なお、第３の２Ｒ確変大当り遊技終了後、入球率向上状態が付与された場合には、次の大当り遊技が付与されるまで、入球率向上状態が付与されるようになっている。
【００５２】
また、第３の２Ｒ確変大当り遊技では、オープニング時間として「０．００４（秒）」が、１回のラウンド遊技のラウンド遊技時間として「０．３（秒）」がそれぞれ設定されている。また、図柄Ｅが表示される場合であって大当り抽選の当選時に入球率向上状態が付与されていない場合（すなわち、第３の２Ｒ確変大当り遊技終了後に入球率向上状態が付与されない場合）、エンディング時間として「１．４（秒）」が設定されている。その一方、図柄Ｅが表示される場合であって大当り抽選の当選時に入球率向上状態が付与されている場合（すなわち、第３の２Ｒ確変大当り遊技終了後に入球率向上状態が付与される場合）、エンディング時間として「７．０（秒）」が設定されている。なお、第３の２Ｒ確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００５３】
また、各ラウンド遊技のラウンド遊技時間は、各ラウンド遊技が入球上限個数分の遊技球が入球することにより終了する場合もあることから、それぞれ最大時間となる。しかしながら、第３の２Ｒ確変大当り遊技のラウンド遊技時間（０．３（秒））は、１回のラウンド遊技において、大入賞口２３に入球する遊技球の入球個数が、入球上限個数を満たさないような時間に設定されている。因みに、パチンコ遊技機１０では、１分間あたりの遊技球の発射個数がおおよそ「１００球」に設定されているので、遊技球を１球発射させるために要する時間は「０．６（秒）」となる。すなわち、第３の２Ｒ確変大当り遊技の各ラウンド遊技において、ラウンド遊技時間（０．３（秒））内に、入球上限個数となる「９球」の遊技球を発射して、入球させるのは実質的に無理である。
【００５４】
図柄Ｆに分類される大当り図柄が特図表示器Ｈ１に表示されたときに付与される大当り遊技は、規定ラウンド数が「２回」に設定されているとともに、大当り遊技終了後に非確変状態（通常状態）となる２ラウンド大当り遊技である。以下、図柄Ｆに分類される大当り図柄が特図表示器Ｈ１に表示されたときに付与される大当り遊技を「２Ｒ非確変大当り遊技」（第２の大当り遊技）と示す。２Ｒ非確変大当り遊技では、１回のラウンド遊技の入球上限個数（規定個数）が「９球」に設定されている。また、２Ｒ非確変大当り遊技における２回のラウンド遊技では、各ラウンド遊技において大入賞口２３（の大入賞口扉２４）をそれぞれ「１回」開放させるように設定されている。
【００５５】
また、図柄Ｆに分類される大当り図柄が表示されたときに付与される２Ｒ非確変大当り遊技では、大当り抽選の当選時における遊技状態に応じて、時短状態（すなわち、入球率向上状態）が付与されるか否かが異なるようになっている。具体的には、大当り抽選の当選時において、入球率向上状態が付与されていなければ、大当り遊技終了後に時短状態（入球率向上状態）が付与されないようになっている。大当り抽選の当選時において、入球率向上状態が付与されていれば、大当り遊技終了後に時短状態（入球率向上状態）が付与されるようになっている。なお、図柄Ｆに分類される大当り図柄が表示されたときに付与される２Ｒ非確変大当り遊技終了後、時短状態が付与された場合には、図柄変動ゲームが５０回行われるまで又は次の大当り遊技が付与されるまで時短状態（入球率向上状態）が付与されるようになっている。
【００５６】
また、２Ｒ非確変大当り遊技では、オープニング時間として「０．００４（秒）」が、１回のラウンド遊技のラウンド遊技時間として「０．３（秒）」が、それぞれ設定されている。また、大当り抽選の当選時に入球率向上状態が付与されていない場合（すなわち、２Ｒ非確変大当り遊技終了後に入球率向上状態が付与されない場合）、エンディング時間として「１．４（秒）」が設定されている。その一方、大当り抽選の当選時に入球率向上状態が付与されている場合（すなわち、２Ｒ非確変大当り遊技終了後に入球率向上状態が付与される場合）、エンディング時間として「７．０（秒）」が設定されている。なお、２Ｒ非確変大当り遊技における各ラウンド間のインターバル時間（ラウンド間インターバル）は、「２．０（秒）」に設定されており、最終開放インターバル時間（最終ラウンド終了時からエンディング開始時までの時間）は、「１．９９６（秒）」に設定されている。
【００５７】
つまり、２Ｒ非確変大当り遊技におけるオープニング時間及びラウンド遊技時間は、第１の２Ｒ確変大当り遊技のオープニング時間及びラウンド遊技時間と、それぞれ同一時間に設定されている。また、大当り遊技終了後に入球率向上状態が付与されない２Ｒ非確変大当り遊技におけるエンディング時間は、大当り遊技終了後に入球率向上状態が付与されない第１の２Ｒ確変大当り遊技におけるエンディング時間と、同一時間（１．４秒）に設定されている。また、大当り遊技終了後に入球率向上状態が付与される２Ｒ非確変大当り遊技におけるエンディング時間は、大当り遊技終了後に入球率向上状態が付与される第１の２Ｒ確変大当り遊技におけるエンディング時間と、同一時間（７．０秒）に設定されている。また、第１の２Ｒ確変大当り遊技における大入賞口扉２４の開放態様は、２Ｒ非確変大当り遊技における大入賞口扉２４の開放態様と同一となっている。
【００５８】
このため、大入賞口扉２４の開放態様や、オープニング時間、ラウンド遊技時間及びエンディング時間から第１の２Ｒ確変大当り遊技と、第３の２Ｒ確変大当り遊技と、２Ｒ非確変大当り遊技のうちいずれが付与されたかを判別することはできないようになっている。また、第１の２Ｒ確変大当り遊技が付与される図柄変動ゲームの演出内容と、第３の２Ｒ確変大当り遊技が付与される図柄変動ゲームの演出内容と、２Ｒ非確変大当り遊技が付与される図柄変動ゲームの演出内容は同じになっているため、演出内容からでも区別することができないようになっている。また、第１の２Ｒ確変大当り遊技の演出内容と、第３の２Ｒ確変大当り遊技の演出内容と、２Ｒ非確変大当り遊技の演出内容は同じになっているため、演出内容からでも区別することができないようになっている。同様に、大当り当選時の遊技状態や、大当り遊技終了後に入球率向上状態が付与されるか否かにより第１の２Ｒ確変大当り遊技と、第３の２Ｒ確変大当り遊技と、２Ｒ非確変大当り遊技のうちいずれが付与されたかを判別することはできないようになっている。すなわち、第１の２Ｒ確変大当り遊技、第３の２Ｒ確変大当り遊技又は２Ｒ非確変大当り遊技終了後に、確変状態が付与されているか否かを判別できないようになっている。
【００５９】
同様に、大当り当選時の遊技状態や、大当り遊技終了後に入球率向上状態が付与されるか否かにより第１の２Ｒ確変大当り遊技と、第３の２Ｒ確変大当り遊技と、２Ｒ非確変大当り遊技のうちいずれが付与されたかを判別することはできないようになっている。すなわち、第１の２Ｒ確変大当り遊技、第３の２Ｒ確変大当り遊技又は２Ｒ非確変大当り遊技終了後に、確変状態が付与されているか否かを判別できないようになっている。
【００６０】
図柄Ｇに分類される小当り図柄が特図表示器Ｈ１に表示されたときに付与される小当り遊技は、規定ラウンド数が「１回」に設定されているとともに、１回のラウンド遊技の入球上限個数（カウント数）が「９球」に設定されている。また、小当り遊技の１回のラウンド遊技では、大入賞口２３（の大入賞口扉２４）を「２回」開放させるように設定されている。また、小当り遊技では、当該小当り遊技終了後の遊技状態を、小当り抽選の当選時における遊技状態で継続させるようになっている。すなわち、小当り遊技では、小当り抽選の当選時に確変状態が付与されていれば小当り遊技終了後にも確変状態を継続して付与させるとともに、小当り抽選の当選時に入球率向上状態が付与されていれば小当り遊技終了後にも入球率向上状態を継続して付与させる。また、小当り遊技では、小当り抽選の当選時に入球率向上状態が付与されていれば小当り遊技終了後に入球率向上状態を継続して付与させる。また、小当り遊技では、小当り抽選の当選時の遊技状態が通常状態であれば小当り遊技終了後も通常状態を継続させる。
【００６１】
また、小当り遊技では、オープニング時間として「０（秒）」が、当選時に入球率向上状態が付与されていないときのエンディング時間として「３．３８８（秒）」が、当選時に入球率向上状態が付与されているときのエンディング時間として「８．９８８（秒）」が、それぞれ設定されている。そして、小当り遊技におけるラウンド遊技の大入賞口２３（大入賞口扉２４）の開放態様として、開放１回目と開放２回目の開放時間が「０．３（秒）」に設定されているとともに、開放１回目と開放２回目の間にはインターバル時間として「２．０（秒）」が設定されている。また、２回目に大入賞口扉２４が閉鎖してからエンディング開始時までの時間は、「０．０１２（秒）」に設定されている。
【００６２】
以上のように、入球率向上状態が付与されない小当り遊技において、小当り遊技が開始してから終了するまでの時間は、「０．３（秒）＋２．０（秒）＋０．３（秒）＋０．０１２（秒）＋３．３８８（秒）」からなる「６．０（秒）」に設定されていることになる。そして、入球率向上状態が付与されない第１の２Ｒ確変大当り遊技（又は第３の２Ｒ確変大当り遊技）が開始してから終了するまでの時間は、「０．００４（秒）＋０．３（秒）＋２．０（秒）＋０．３（秒）＋１．９９６（秒）＋１．４（秒）」からなる「６．０（秒）」に設定されており、大入賞口扉２４の開放時間及びインターバル時間等も同じとなっている。このため、入球率向上状態が付与されない場合、見た目から小当り遊技と、第１の２Ｒ確変大当り遊技と、第３の２Ｒ確変大当り遊技のいずれが付与されたかを判別できないようになっている。
【００６３】
また、入球率向上状態が付与される小当り遊技において、小当り遊技が開始してから終了するまでの時間は、「０．３（秒）＋２．０（秒）＋０．３（秒）＋０．０１２（秒）＋８．９８８（秒）」からなる「１１．６（秒）」に設定されていることになる。そして、入球率向上状態が付与される第１の２Ｒ確変大当り遊技（又は第３の２Ｒ確変大当り遊技）が開始してから終了するまでの時間は、「０．００４（秒）＋０．３（秒）＋２．０（秒）＋０．３（秒）＋１．９９６（秒）＋７．０（秒）」からなる「１１．６（秒）」に設定されており、大入賞口扉２４の開放時間及びインターバル時間等も同じとなっている。このため、入球率向上状態が付与される場合、見た目から小当り遊技と、第１の２Ｒ確変大当り遊技と、第３の２Ｒ確変大当り遊技のいずれが付与されたかを判別できないようになっている。
【００６４】
なお、小当り遊技におけるラウンド遊技のラウンド遊技時間は、ラウンド遊技が入球上限個数分の遊技球が入球することにより終了する場合もあることから、それぞれ最大時間となる。しかしながら、小当り遊技のラウンド遊技時間（２．６（秒））は、１回のラウンド遊技において、大入賞口２３に入球する遊技球の入球個数が、入球上限個数を満たさないような時間に設定されている。すなわち、小当り遊技のラウンド遊技において、ラウンド遊技時間（２．６（秒））内に、入球上限個数となる「９球」の遊技球を発射して、入球させるのは実質的に無理である。
【００６５】
次に、パチンコ機１０の制御構成について図３に基づき説明する。
パチンコ機１０の機裏側には、パチンコ機１０全体を制御する主制御基板３０が装着されている。主制御基板３０は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、統括制御基板３１と、表示制御基板３２と、ランプ制御基板３３と、音声制御基板３４とが装着されている。統括制御基板３１は、主制御基板３０が出力した制御信号（制御コマンド）に基づき、表示制御基板３２、ランプ制御基板３３及び音声制御基板３４を統括的に制御する。表示制御基板３２は、主制御基板３０と統括制御基板３１が出力した制御信号（制御コマンド）に基づき、可変表示器Ｈ２の表示態様（図柄、背景、文字などの表示画像など）を制御する。また、ランプ制御基板３３は、主制御基板３０と統括制御基板３１が出力した制御信号（制御コマンド）に基づき、装飾ランプ１６の発光態様（点灯（点滅）／消灯のタイミングなど）を制御する。また、音声制御基板３４は、主制御基板３０と統括制御基板３１が出力した制御信号（制御コマンド）に基づき、スピーカ１７の音声出力態様（音声出力のタイミングなど）を制御する。
【００６６】
また、パチンコ機１０の機裏側には、外部出力装置としての外部端子板５３が装着されている。外部端子板５３は、遊技場に設置された各パチンコ遊技機の動作状態を管理するために遊技場の管理室などに設置される外部装置としてのホールコンピュータＨＣ（図３に示す）や当り回数報知装置ＫＨに接続する基板である。
【００６７】
以下、各制御基板３０〜３４について、その具体的な構成を図３に基づき説明する。
前記主制御基板３０には、メインＣＰＵ３０ａが備えられている。該メインＣＰＵ３０ａには、ＲＯＭ３０ｂ及びＲＡＭ３０ｃが接続されている。また、メインＣＰＵ３０ａには、始動入賞口２２に入賞した遊技球を検知する始動口センサＳＷ１が接続されている。また、メインＣＰＵ３０ａには、特図表示器Ｈ１が接続されている。また、メインＣＰＵ３０ａには、保留記憶数表示部Ｌが接続されている。また、メインＣＰＵ３０ａは、当り判定用乱数などの各種乱数の値を所定の周期毎に更新し、更新後の値をＲＡＭ３０ｃの設定領域に記憶（設定）して更新前の値を書き換えている。また、メインＣＰＵ３０ａには、扉開放センサＳＥ０が接続されており、開放検知信号を入力するようになっている。すなわち、メインＣＰＵ３０ａは、前枠１４又は中枠１２が開放されたことを検知することができるようになっている。さらに、主制御基板３０には、外部端子板５３が接続されているとともに、該外部端子板５３にはホールコンピュータＨＣが接続されるようになっている。
【００６８】
ＲＯＭ３０ｂには、パチンコ機１０全体を制御するためのメイン制御プログラムが記憶されている。また、ＲＯＭ３０ｂには、複数種類の変動パターン（演出パターン）Ｐ１〜Ｐ１７が記憶されている。変動パターンＰ１〜Ｐ１７は、図柄（特図及び飾図）が変動を開始（図柄変動ゲームが開始）してから図柄が確定停止表示（図柄変動ゲームが終了）される迄の間の遊技演出（表示演出、発光演出、音声演出）のベースとなるパターンを示すものである。すなわち、変動パターンＰ１〜Ｐ１７は、特図が変動開始してから特図が確定停止表示されるまでの間の図柄変動ゲームの演出内容及び演出時間（変動時間）を特定することができる。
【００６９】
変動パターンは、図５に示すように、大当り抽選又は小当り抽選に当選した際に選択される当り演出用の変動パターンＰ１〜Ｐ１０と、大当り判定及び小当り判定の何れにも当選しなかったはずれの場合に選択されるはずれ演出用の変動パターンＰ１１〜Ｐ１７とからなる。
【００７０】
より詳しく説明すると、本実施形態において当り演出用の変動パターンには、入球率向上状態が付与されているとき、１５Ｒ確変大当り遊技、７Ｒ確変大当り遊技が決定された際に選択される大当り演出用の変動パターンＰ１（第１の変動ターン），変動パターンＰ３（第３の変動パターン）がある。また、当り演出用の変動パターンには、入球率向上状態が付与されているとき、１５Ｒ確変大当り遊技が決定された際に選択される大当り演出用の変動パターンＰ６（第６の変動パターン），変動パターンＰ７（第７の変動パターン）がある。また、当り演出用の変動パターンには、入球率向上状態が付与されているとき、第２〜第３の２Ｒ確変大当り遊技が決定された際に選択される変動パターンＰ２（第２の変動パターン）がある。また、当り演出用の変動パターンには、入球率向上状態が付与されているとき、第２〜第３の２Ｒ確変大当り遊技が決定された際に選択される変動パターンＰ４（第４の変動パターン）がある。また、当り演出用の変動パターンには、入球率向上状態が付与されたとき、第１の２Ｒ確変大当り遊技、２Ｒ非確変大当り遊技又は小当り遊技のうちいずれかが決定された際に選択される変動パターンＰ５（第５の変動パターン）がある。
【００７１】
また、当り演出用の変動パターンには、入球率向上状態が付与されていないとき、１５Ｒ確変大当り遊技、７Ｒ確変大当り遊技が決定された際に選択される大当り演出用の変動パターンＰ８（第８の変動パターン）がある。また、当り演出用の変動パターンには、入球率向上状態が付与されていないとき、第１の２Ｒ確変大当り遊技、第３の２Ｒ確変大当り遊技、２Ｒ非確変大当り遊技又は小当り遊技が決定された際に選択される変動パターンＰ９がある。また、当り演出用の変動パターンには、入球率向上状態が付与されていないとき、第２の２Ｒ確変大当り遊技が決定された際に選択される変動パターンＰ１０がある。そして、はずれ演出用の変動パターンには、リーチを形成し、リーチ演出が行われた後に最終的にはずれとするはずれリーチ演出用の変動パターンＰ１１，Ｐ１２と、リーチを形成せずにはずれとするリーチなしはずれ演出（以下、これを単にはずれ演出と示す）用の変動パターンＰ１３〜Ｐ１７とがある。
【００７２】
従って、変動パターンＰ５に基づく図柄変動ゲームの演出内容から、第１の２Ｒ確変大当り遊技、２Ｒ非確変大当り遊技又は小当り遊技のうちいずれが付与されるかを判別することができないようになっている。同様に、変動パターンＰ９に基づく図柄変動ゲームの演出内容から、第１の２Ｒ確変大当り遊技、第３の２Ｒ確変大当り遊技、２Ｒ非確変大当り遊技、又は小当り遊技のうちいずれが付与されるかを判別することができないようになっている。すなわち、変動パターンＰ５又は変動パターンＰ９に基づく図柄変動ゲームの演出内容から確変状態が付与されたか否かを判別できないようになっている。
【００７３】
なお、変動パターンＰ１，Ｐ３，Ｐ６，Ｐ７，Ｐ８に基づき行われる大当り演出は、図柄変動ゲームが、リーチ演出を経て、最終的に大当りの図柄組み合わせを確定停止表示させるように展開される演出である。はずれリーチ演出は、図柄変動ゲームが、リーチ演出を経て、最終的にはずれの図柄組み合わせを確定停止表示させるように展開される演出である。はずれ演出は、図柄変動ゲームが、リーチ演出を経ることなく最終的にはずれの図柄組み合わせを確定停止表示させるように展開される演出である。リーチ演出は、可変表示器Ｈ２の飾り図柄による図柄変動ゲームにおいて、リーチの図柄組み合わせが形成されてから、大当りの図柄組み合わせ、又ははずれの図柄組み合わせが導出される迄の間に行われる演出である。
【００７４】
以下、各変動パターンＰ１〜Ｐ１７について説明する。
大当り演出用の通常変動パターンＰ１，Ｐ３，Ｐ６，Ｐ７，Ｐ８に基づき図柄変動ゲームが行われた場合、特図表示器Ｈ１及び可変表示器Ｈ２において、夫々に大当りを認識できる大当り図柄及び大当りの図柄組み合わせが最終的に表示されるようになっている。また、大当り演出用の通常変動パターンＰ６，Ｐ７，Ｐ８に基づき図柄変動ゲームが行われた場合、再変動演出（再抽選演出）が実行されるようになっている。前記再変動演出とは、図柄変動ゲームにおいて可変表示器Ｈ２に仮の大当りの図柄組み合わせ（以下、単に仮図柄と示す）を一旦停止表示（仮停止）させた後、最終的に確定停止表示させる大当りの図柄組み合わせ（以下、確定停止飾図と示す）を導出する演出である。本実施形態において再変動演出は、仮図柄を構成する各図柄列を再び変動させ、全列が同一図柄で揃った状態（ぞろ目の状態）で変動させ、変動停止によって確定停止飾図を導出する態様で行われる。なお、再変動演出では、変動前と同一の大当りの図柄組み合わせ、又は変動前よりも利益が大きいことを示す大当りの図柄組み合わせが導出される。
【００７５】
また、変動パターンＰ２，Ｐ４，Ｐ５，Ｐ９，Ｐ１０に基づき図柄変動ゲームが行われると、特図表示器Ｈ１において、大当り図柄又は小当り図柄が表示され、可変表示器Ｈ２において、確変示唆の図柄組み合わせが最終的に表示されるようになっている。例えば、第２の２Ｒ確変大当り遊技が決定され、変動パターンＰ２に基づき図柄変動ゲームが行われた場合、可変表示器Ｈ２に、飾図による確変示唆の図柄組み合わせが表示されると同時に、特図表示器Ｈ１において特図による大当り図柄が表示されるようになっている。また、例えば、小当り遊技が決定され、変動パターンＰ９に基づき図柄変動ゲームが行われた場合、可変表示器Ｈ２に、飾図による確変示唆の図柄組み合わせが表示されると同時に、特図表示器Ｈ１において特図による小当り図柄が表示されるようになっている。
【００７６】
また、はずれリーチ演出用の変動パターンＰ１１，Ｐ１２に基づき図柄変動ゲームが行われると、特図表示器Ｈ１及び可変表示器Ｈ２において、夫々にはずれ図柄及びはずれ（はずれリーチ）の図柄組み合わせが最終的に表示されるようになっている。例えば、はずれリーチ演出用の変動パターンＰ１１に基づき図柄変動ゲームが行われた場合、可変表示器Ｈ２でリーチ演出が行われた後、飾図によるはずれの図柄組み合わせが表示されると同時に、特図表示器Ｈ１において特図によるはずれ図柄が表示されるようになっている。
【００７７】
そして、はずれ演出用の変動パターンＰ１３〜Ｐ１７に基づき図柄変動ゲームが行われると、特図表示器Ｈ１及び可変表示器Ｈ２において、通常変動後、夫々にはずれ図柄及びはずれの図柄組み合わせが最終的に表示されるようになっている。例えば、はずれ演出用の変動パターンＰ１３に基づき図柄変動ゲームが行われると、図柄変動ゲーム開始後、通常変動が行われ、可変表示器Ｈ２において飾図によるはずれの図柄組み合わせが表示されると共に、特図表示器Ｈ１において特図によるはずれ図柄が表示されるようになっている。
【００７８】
また、本実施形態において、大当り演出用の変動パターンＰ８に基づく図柄変動ゲームでは、４種類のリーチ演出Ｒ１，Ｒ２，Ｒ３，Ｒ４のうち、いずれかのリーチ演出が行われるようになっている。また、はずれリーチ演出用の変動パターンＰ１２に基づく図柄変動ゲームでは、３種類のリーチ演出Ｒ１，Ｒ２，Ｒ３のうち、いずれかのリーチ演出が行われるようになっている。
【００７９】
例えば、リーチ演出Ｒ１では、飾図によるリーチの図柄組み合わせが一旦停止表示された後、特定のキャラクタＫ１が登場し、残り１列（本実施形態では、中列）を変動させて飾図を導出する演出内容でリーチ演出（登場キャラクタの名称で「○○リーチ」とも呼ばれる）が行われるようになっている。リーチ演出Ｒ２〜Ｒ４も同様である。なお、リーチ演出Ｒ２が実行されるときには、特定のキャラクタＫ２が登場し、リーチ演出Ｒ３が実行されるときには、特定のキャラクタＫ３が登場し、リーチ演出Ｒ４が実行されるときには、特定のキャラクタＫ４が登場するようになっている。また、リーチ演出Ｒ１，Ｒ２，Ｒ３，Ｒ４の演出時間は、同一に設定されている。
【００８０】
そして、本実施形態では、リーチ演出Ｒ１，Ｒ２，Ｒ３，Ｒ４の種類に応じて、大当り遊技が付与される割合（大当り信頼度又は大当り期待度）を異ならせている。より詳しく言えば、リーチ演出Ｒ１＜リーチ演出Ｒ２＜リーチ演出Ｒ３＜リーチ演出Ｒ４の順番で、大当り遊技が付与される割合が高くなるように設定されている。これは、リーチ演出Ｒ１＜リーチ演出Ｒ２＜リーチ演出Ｒ３＜リーチ演出Ｒ４の順番で、大当り遊技が付与される期待度（可能性）が高まることを示している。
【００８１】
大当り遊技が付与される割合は、各リーチ演出Ｒ１，Ｒ２，Ｒ３，Ｒ４が、大当り演出時にどれくらいの頻度で実行されるか及びはずれリーチ演出時にどれくらいの頻度で実行されるかによって決定される。即ち、リーチ演出の大当り遊技が付与される割合を高くするためには、当該リーチ演出が出現する割合（大当りとはずれリーチの場合に出現する全体の割合）に対して、大当りの場合に当該リーチ演出が出現する割合を高めると共にはずれリーチの場合に当該リーチ演出が出現する割合を低める（又はいずれか一方を行う）ようにすればよい。このように大当り遊技が付与される割合を異ならせることにより、リーチの図柄組み合わせが表示され、リーチ演出が行われた場合には、当該リーチ演出の種類に応じて遊技者が抱く大当りへの期待感を変化させることができる。なお、本実施形態では、変動パターンＰ８に基づく図柄変動ゲームが実行されるときにのみ、リーチ演出Ｒ４が実行されるようになっており、リーチ演出Ｒ４が出現した時点で大当り遊技が付与されることを認識することができる。
【００８２】
また、ＲＯＭ３０ｂには、大当り判定値が記憶されている。大当り判定値は、大当りか否かの内部抽選で用いる判定値であり、当り判定用乱数の取り得る数値（０〜１２２２までの全１２２３通りの整数）の中から定められている。なお、大当り判定値は、確変状態が付与されているか否かでその数が異なっており、確変状態時の大当り判定値の数（本実施形態では４０個）は、通常状態時の大当り判定値の数（本実施形態では４個）よりも多く設定されている。また、ＲＡＭ３０ｃには、大当り判定時に使用する当り判定用乱数が記憶されている。
【００８３】
また、ＲＯＭ３０ｂには、小当り判定値が記憶されている。小当り判定値は、小当りか否かの内部抽選で用いる判定値であり、当り判定用乱数の取り得る数値（０〜１２２２までの全１２２３通りの整数）の中から定められている。なお、図柄変動ゲームが行われるときの小当り判定値の数は、本実施形態では５個）に設定されている。また、当り判定用乱数は、大当り判定において使用した乱数をそのまま使用するようになっている。また、小当り判定値は、確変状態が付与されているか否か、及び入球率向上状態が付与されているか否かによってその値が異なることはない（同じ値が定められている）。
【００８４】
また、ＲＡＭ３０ｃには、大当り決定時に大当り図柄となる特図の種類を決定する際に用いる特図振分用乱数が記憶されている。各特図には、この特図振分用乱数が所定個数ずつ振り分けられており、メインＣＰＵ３０ａは、大当りの決定時（大当り判定が肯定となった場合）、取得した特図振分用乱数に基づき大当り図柄を決定する。この特図振分用乱数は、予め定められた数値範囲内（本実施形態では、「０」〜「９９」の全１００通りの整数）の数値を取り得るように、メインＣＰＵ３０ａが所定の周期毎（２ｍｓ毎）に数値を１加算して更新するようになっている。そして、メインＣＰＵ３０ａは、更新後の値を特図振分用乱数の値としてＲＡＭ３０ｃに記憶し、既に記憶されている特図振分用乱数の値を書き換えることで特図振分用乱数の値を順次更新するようになっている。本実施形態において、特図振分用乱数は、始動入賞口２２へ遊技球が入賞したことを契機に取得するようになっている。
【００８５】
次に、図３に基づき統括制御基板３１について説明する。
統括制御基板３１には、統括ＣＰＵ３１ａが備えられている。該統括ＣＰＵ３１ａには、ＲＯＭ３１ｂ及びＲＡＭ３１ｃが接続されている。また、統括ＣＰＵ３１ａは、各種乱数の値を所定の周期毎に更新し、更新後の値をＲＡＭ３１ｃの設定領域に記憶（設定）して更新前の値を書き換えている。また、ＲＯＭ３１ｂには、表示制御基板３２、ランプ制御基板３３及び音声制御基板３４を統括的に制御するための統括制御プログラムが記憶されている。
【００８６】
次に、図３に基づき表示制御基板３２について説明する。
表示制御基板３２には、サブＣＰＵ３２ａが備えられている。該サブＣＰＵ３２ａには、ＲＯＭ３２ｂ及びＲＡＭ３２ｃが接続されている。また、表示制御基板３２（サブＣＰＵ３２ａ）には、可変表示器Ｈ２が接続されている。ＲＯＭ３２ｂには、可変表示器Ｈ２の表示内容を制御するための表示制御プログラムが記憶されている。また、ＲＯＭ３２ｂには、各種の画像データ（図柄、各種背景画像、文字、キャラクタなどの画像データ）が記憶されている。また、ＲＡＭ３２ｃには、パチンコ機１０の動作中に適宜書き換えられる各種の情報が記憶（設定）されるようになっている。
【００８７】
次に、図３に基づきランプ制御基板３３について説明する。
ランプ制御基板３３は、図３に示すように、サブＣＰＵ３３ａを備えており、該サブＣＰＵ３３ａにはＲＯＭ３３ｂ及びＲＡＭ３３ｃが接続されている。ＲＯＭ３３ｂには、発光制御を行うための発光制御プログラム等が記憶されている。また、ＲＡＭ３３ｃには、パチンコ機１０の動作中に適宜書き換えられる各種情報（例えば、装飾ランプ１６の点灯・消灯パターンのデータなど）が記憶（設定）されるようになっている。
【００８８】
次に、図３に基づき音声制御基板３４について説明する。
音声制御基板３４には、サブＣＰＵ３４ａが備えられている。該サブＣＰＵ３４ａには、ＲＯＭ３４ｂ及びＲＡＭ３４ｃが接続されている。また、音声制御基板３４（サブＣＰＵ３４ａ）には、スピーカ１７が接続されている。ＲＯＭ３４ｂには、スピーカ１７からの音声出力内容を制御するための音声制御プログラムが記憶されている。また、ＲＯＭ３４ｂには、各種の音声制御データ（楽曲や、効果音などの音声制御データ）が記憶されている。また、ＲＡＭ３４ｃには、パチンコ機１０の動作中に適宜書き換えられる各種の情報が記憶（設定）されるようになっている。
【００８９】
次に、メインＣＰＵ３０ａが、メイン制御プログラムに基づき実行する入賞処理や変動パターン決定処理などの各種処理について説明する。まず、入賞処理について図６に基づき説明する。
【００９０】
メインＣＰＵ３０ａは、所定時間間隔で遊技球の入賞検知がなされたか否かを判定する（ステップＳ１１）。つまり、メインＣＰＵ３０ａは、始動入賞口２２及び始動口センサＳＷ１によって構成される始動入賞装置が出力する検知信号を入力したか否かを判定する。この判定結果が否定の場合（入賞検知なしの場合）、メインＣＰＵ３０ａは、入賞処理を終了する。一方、判定結果が肯定の場合（入賞検知ありの場合）、メインＣＰＵ３０ａは、ＲＡＭ３０ｃに記憶されている保留記憶数が上限値（本実施形態では４）未満であるか否かを判定する（ステップＳ１２）。この判定結果が否定の場合（保留記憶数＝４の場合）、メインＣＰＵ３０ａは、入賞処理を終了する。
【００９１】
一方、この判定結果が肯定の場合（保留記憶数＜４の場合）、メインＣＰＵ３０ａは、ＲＡＭ３０ｃに記憶されている保留記憶数に「１」加算（＋１）し、保留記憶数を書き換える（ステップＳ１３）。続いて、メインＣＰＵ３０ａは、当り判定用乱数及び特図振分用乱数の値をＲＡＭ３０ｃから読み出して取得し、当該読み出した当り判定用乱数及び特図振分用乱数の値を保留記憶数に対応付けられたＲＡＭ３０ｃの所定の記憶領域に設定する（ステップＳ１４）。なお、当り判定用乱数及び特図振分用乱数は、メインＣＰＵ３０ａによって所定の周期毎に順次更新される乱数であり、メインＣＰＵ３０ａは、更新後の値をＲＡＭ３０ｃの設定領域に設定して更新前の値を書き換えている。そして、メインＣＰＵ３０ａは、入賞処理を終了する。
【００９２】
次に、変動パターン決定処理について図７に基づき説明する。
メインＣＰＵ３０ａは、図柄（特図及び飾図）が変動表示中であるか否か、小当り遊技中であるか否か、及び大当り遊技（特別遊技）中であるか否か判定する（ステップＳ２１）。ステップＳ２１の判定結果が肯定の場合（図柄変動ゲーム中、小当り遊技中又は大当り遊技中である場合）、メインＣＰＵ３０ａは、変動パターン決定処理を終了する。一方、ステップＳ２１の判定結果が否定の場合（図柄変動ゲーム中でなく、小当り遊技中でなく、大当り遊技中でない場合）、メインＣＰＵ３０ａは、所定時間間隔で保留記憶数が「０」よりも大きいか否か判定する（ステップＳ２２）。ステップＳ２２の判定結果が否定の場合（保留記憶数＝０の場合）、保留中の図柄変動ゲームが存在しないので、メインＣＰＵ３０ａは、変動パターン決定処理を終了する。
【００９３】
一方、ステップＳ２２の判定結果が肯定の場合（保留記憶数＞０の場合）、メインＣＰＵ３０ａは、保留記憶数に対応付けられてＲＡＭ３０ｃに記憶されている当り判定用乱数の値及び特図振分用乱数の値を読み出す。そして、メインＣＰＵ３０ａは、読み出した当り判定用乱数の値がＲＯＭ３０ｂに記憶されている大当り判定値と一致するか否かを判定して大当り判定（大当り抽選）を行う（ステップＳ２３）。なお、本実施形態において、大当り判定値は、確変状態が付与されているか否かで変更されるようになっている。そして、通常状態の時（低確率の時）、大当り判定の判定結果が肯定となる確率（大当り確率）は、４／１２２３としており、確変状態の時（高確率の時）、大当り判定の判定結果が肯定となる確率（大当り確率）は、４０／１２２３としている。また、メインＣＰＵ３０ａは、保留記憶数を「１」減算（−１）した後に、当該保留記憶数に対応付けられて記憶されている当り判定用乱数及び特図振分用乱数の値を取得するようになっている。
【００９４】
大当り判定の判定結果が肯定の場合（大当りの場合）、メインＣＰＵ３０ａは、ＲＡＭ３０ｃから読み出した特図振分用乱数の値に基づき、特図による大当り図柄の中から特図表示器Ｈ１にて確定停止表示される最終停止図柄を決定する（ステップＳ２４）。
【００９５】
具体的には、メインＣＰＵ３０ａは、大当り図柄用テーブル（図８）を参照して、特図振分用乱数に基づき、最終停止図柄を決定する。例えば、メインＣＰＵ３０ａは、特図振分用乱数として［５６］を取得した場合、大当り図柄用テーブルを参照して、最終停止図柄として［１６］を取得する。
【００９６】
大当り図柄用テーブルでは、図８（ｂ）に示すように、特図［１］〜［５］、［１０］〜［１４］に４個ずつ特図振分用乱数が振り分けられており、特図［６］〜［９］、［１５］〜［１８］に３個ずつ特図振分用乱数が振り分けられており、特図［１９］〜［５４］に１個ずつ特図振分用乱数が振り分けられている。なお、本実施形態では、特図［１］〜［９］が図柄Ａに分類され、特図［１０］〜［１８］が図柄Ｂに分類され、特図［１９］〜［２７］が図柄Ｃに分類され、特図［２８］〜［２９］が図柄Ｄに分類され、特図［３０］〜［３６］が図柄Ｅに分類され、特図［３７］〜［５４］が図柄Ｆに分類されている。このため、メインＣＰＵ３０ａは、ステップＳ２４において、大当り図柄として図柄Ａに分類される図柄を３２／１００の確率で決定する。同様に、メインＣＰＵ３０ａは、ステップＳ２４において、図柄Ｂに分類される図柄を３２／１００の確率で決定し、図柄Ｃに分類される図柄を９／１００の確率で決定し、図柄Ｄに分類される図柄を２／１００の確率で決定し、図柄Ｅに分類される図柄を７／１００の確率で決定することとなる。同様に、メインＣＰＵ３０ａは、ステップＳ２４において、図柄Ｆに分類される図柄を１８／１００の確率で決定することとなる。
【００９７】
その後、メインＣＰＵ３０ａは、当選時の遊技状態に応じて当り演出用の変動パターン振り分けテーブルを選択する（ステップＳ２５）。本実施形態では、入球率向上状態が付与されているときに選択される当り演出用の変動パターン振り分けテーブルＴ１と、入球率向上状態が付与されていないときに選択される当り演出用の変動パターン振り分けテーブルＴ２が設けられている。当り演出用の変動パターン振り分けテーブルＴ１は、図９（ａ）に示すように、変動パターンＰ１〜Ｐ７から構成されており、各変動パターンには、変動パターン振分用乱数が１又は複数振り分けられている。変動パターン振分用乱数は、予め定められた数値範囲内（本実施形態では、「０」〜「２５０」の全２５１通りの整数）の数値を取り得るように、メインＣＰＵ３０ａにより所定の周期毎（２ｍｓ毎）に１加算されて更新されるようになっている。この変動パターン振分用乱数は、ＲＡＭ３０ｃに記憶されるようになっている。
【００９８】
なお、変動パターン振分用乱数は、決定した最終停止図柄によってその振り分けが変更されている。例えば、図９（ａ）に示すように、決定した最終停止図柄が図柄Ｂに分類される場合には、変動パターンＰ１に対して７０個の変動パターン振分用乱数が振り分けられており、変動パターンＰ３に対して１８１個の変動パターン振分用乱数が振り分けられている。また、例えば、図９（ａ）に示すように、決定した最終停止図柄が図柄Ｄに分類される場合には、変動パターンＰ２に対して２２４個の変動パターン振分用乱数が振り分けられており、変動パターンＰ４に対して２７個の変動パターン振分用乱数が振り分けられている。
【００９９】
同様に、当り演出用の変動パターン振り分けテーブルＴ２は、図９（ｂ）に示すように、変動パターンＰ８〜Ｐ１０から構成されており、各変動パターンには、変動パターン振分用乱数が１又は複数振り分けられている。なお、変動パターン振分用乱数は、変動パターン振り分けテーブルＴ１と同様に、決定した最終停止図柄によってその振り分けが変更されている。例えば、図９（ｂ）に示すように、決定した最終停止図柄が図柄Ｄに分類される場合には、変動パターンＰ１０に対して２５１個（全て）の変動パターン振分用乱数が振り分けられている。
【０１００】
ステップＳ２５の処理後、メインＣＰＵ３０ａは、ＲＡＭ３０ｃから変動パターン振分用乱数を取得する。そして、メインＣＰＵ３０ａは、ステップＳ２５で選択した当り演出用変動パターン振り分けテーブルを参照して、決定した最終停止図柄及び取得した変動パターン振分用乱数に基づき当り演出用の変動パターンを決定する（ステップＳ２６）。
【０１０１】
例えば、メインＣＰＵ３０ａは、入球率向上状態が付与されているとき、決定した最終停止図柄が図柄Ｂに分類される場合には、変動パターン振り分けテーブルＴ１を参照して、変動パターン振分用乱数に基づき、変動パターンＰ１を７０／２５１の確率で決定し、変動パターンＰ３を１８１／２５１の確率で決定する。また、例えば、メインＣＰＵ３０ａは、入球率向上状態が付与されているとき、決定した最終停止図柄が図柄Ｄに分類される場合には、変動パターンＰ２を２２４／２５１の確率で決定し、変動パターンＰ４を２７／２５１の確率で決定する。また、メインＣＰＵ３０ａは、入球率向上状態が付与されていないとき、決定した最終停止図柄が図柄Ｄに分類される場合には、変動パターンＰ１０を決定する。
【０１０２】
その後、変動パターン及び最終停止図柄を決定したメインＣＰＵ３０ａは、統括制御基板３１（統括ＣＰＵ３１ａ）に対し、所定の制御コマンドを所定のタイミングで出力する等、図柄変動ゲームに関する各種処理を実行する（ステップＳ２７）。具体的に言えば、メインＣＰＵ３０ａは、変動パターンを指定すると共に図柄変動の開始を指示する変動パターン指定コマンド（演出パターン指定コマンド）を最初に出力する。同時に、メインＣＰＵ３０ａは、特図を変動開始させるように特図表示器Ｈ１の表示内容を制御する。また、メインＣＰＵ３０ａは、最終停止図柄を指定するための特別図柄指定コマンドを出力する。その後に、メインＣＰＵ３０ａは、前記指定した変動パターンに定められている演出時間に基づいて、決定した最終停止図柄を表示させるように特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。その後、メインＣＰＵ３０ａは、変動パターン決定処理を終了する。
【０１０３】
一方、ステップＳ２３の大当り判定の判定結果が否定の場合（大当りでない場合）、メインＣＰＵ３０ａは、取得した当り判定用乱数の値がＲＯＭ３０ｂに記憶されている小当り判定値と一致するか否かを判定して小当り判定（小当り抽選）を行う（ステップＳ２８）。なお、本実施形態において、小当り判定値は、遊技状態にかかわらず一定であり、小当り抽選の当選確率は、５／１２２３としている。
【０１０４】
ステップＳ２８の判定結果が肯定の場合（小当りの場合）、メインＣＰＵ３０ａは、特図による小当り図柄（図柄Ｇ）の中から特図表示器Ｈ１にて確定停止表示される最終停止図柄を決定する（ステップＳ２９）。その後、メインＣＰＵ３０ａは、小当り遊技に対応する当り演出用の変動パターンとして、入球率向上状態が付与されている場合には変動パターンＰ５を決定する。また、メインＣＰＵ３０ａは、小当り遊技に対応する当り演出用の変動パターンとして、入球率向上状態が付与されていない場合には変動パターンＰ９を決定する（ステップＳ３０）。
【０１０５】
変動パターン及び最終停止図柄を決定したメインＣＰＵ３０ａは、ステップＳ２７の処理に移行し、前述同様、統括制御基板３１（統括ＣＰＵ３１ａ）に対し、所定の制御コマンドを所定のタイミングで出力する等、図柄変動ゲームに関する各種処理を実行し、変動パターン決定処理を終了する。なお、その後に、変動パターン決定処理とは別の処理で、メインＣＰＵ３０ａは、前記指定した変動パターンに定められている演出時間に基づいて、決定した最終停止図柄を表示させるように特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１０６】
一方、ステップＳ２８の小当り判定の判定結果が否定の場合（小当りでない場合）、メインＣＰＵ３０ａは、リーチ演出を行う否かを判定するリーチ判定を行う（ステップＳ３１）。
【０１０７】
本実施形態では、リーチ判定の判定結果が肯定となる確率（リーチ確率）は、遊技状態及び保留記憶数によって変化するようになっている。具体的には、図１０（ａ）に示すように、入球率向上状態及び確変状態が付与されていない場合であって、変動パターン決定処理前において保留記憶数が２以下である場合には、リーチ確率を３４／２４１としている。また、入球率向上状態及び確変状態が付与されていない場合であって、変動パターン決定処理前において保留記憶数が３である場合には、リーチ確率を２０／２４１としている。また、入球率向上状態及び確変状態が付与されていない場合であって、変動パターン決定処理前において保留記憶数が４である場合には、リーチ確率を６／２４１としている。
【０１０８】
また、図１０（ｂ）に示すように、入球率向上状態が付与されていないときであって確変状態が付与されているとき、変動パターン決定処理前において保留記憶数が２以下である場合には、リーチ確率を４２／２４１としている。また、入球率向上状態が付与されていないときであって確変状態が付与されているとき、変動パターン決定処理前において保留記憶数が３である場合には、リーチ確率を２７／２４１としている。また、入球率向上状態が付与されていないときであって確変状態が付与されているとき、変動パターン決定処理前において保留記憶数が４である場合には、リーチ確率を１２／２４１としている。
【０１０９】
従って、入球率向上状態が付与されていないとき、保留記憶数が大きい場合（保留となっている図柄変動ゲームが多い場合）には、図柄変動ゲームがはずれとなるリーチ演出が実行される確率が低くなり、相対的にリーチ演出の大当り信頼度が高くなる。また、入球率向上状態が付与されていないとき、保留記憶数が大きい場合には、リーチ演出が実行されにくくなり、図柄変動ゲームの演出時間が短くなり、保留記憶数の消化が早くなる可能性が高くなる。
【０１１０】
また、図１０（ａ）に示すように、入球率向上状態が付与されているときであって確変状態が付与されていないとき、保留記憶数に関係なく、リーチ確率を４／２４１としている。また、図１０（ｂ）に示すように、入球率向上状態及び確変状態が付与されているとき、保留記憶数に関係なく、リーチ確率を１／２４１としている。従って、入球率向上状態が付与されているとき、確変状態が付与されている方が、はずれとなるリーチ演出が実行される確率が低くなる。すなわち、入球率向上状態及び確変状態が付与されているときには、リーチ演出の大当り信頼度が高くなる。
【０１１１】
ステップＳ３２のリーチ判定の判定結果が肯定の場合（リーチ演出を行う場合）、メインＣＰＵ３０ａは、はずれを示す特図を最終停止図柄として決定する（ステップＳ３２）。そして、メインＣＰＵ３０ａは、はずれリーチ演出用の変動パターンとして、入球率向上状態が付与されている場合には変動パターンＰ１１を決定し、入球率向上状態が付与されていない場合には変動パターンＰ１２を決定する（ステップＳ３３）。
【０１１２】
その後、メインＣＰＵ３０ａは、ステップＳ２７の処理に移行し、前述同様、統括制御基板３１（統括ＣＰＵ３１ａ）に対し、所定の制御コマンドを所定のタイミングで出力する等、図柄変動ゲームに関する各種処理を実行し、変動パターン決定処理を終了する。なお、その後に、変動パターン決定処理とは別の処理で、メインＣＰＵ３０ａは、前記指定した変動パターンに定められている演出時間に基づいて、決定した最終停止図柄を表示させるように特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１１３】
一方、ステップＳ３１のリーチ判定の判定結果が否定の場合（リーチ演出を行わない場合）、メインＣＰＵ３０ａは、はずれを示す特図を最終停止図柄として決定する（ステップＳ３４）。そして、メインＣＰＵ３０ａは、はずれ演出用の変動パターンＰ１３〜Ｐ１７の中から変動パターンを決定する（ステップＳ３５）。このステップＳ３５において、入球率向上状態が付与されていない場合であって、変動パターン決定処理前において保留記憶数が２以下である場合には、メインＣＰＵ３０ａは、演出時間が１２３３６ｍｓである変動パターンＰ１３を決定する。同様に、このステップＳ３５において、入球率向上状態が付与されていない場合であって、変動パターン決定処理前において保留記憶数が３である場合には、メインＣＰＵ３０ａは、演出時間が７０００ｍｓである変動パターンＰ１４を決定する。同様に、このステップＳ３５において、入球率向上状態が付与されていない場合であって、変動パターン決定処理前において保留記憶数が４である場合には、メインＣＰＵ３０ａは、演出時間が３０００ｍｓである変動パターンＰ１５を決定する。
【０１１４】
すなわち、入球率向上状態が付与されていない場合であって、保留記憶数が２以下である場合、最も選択されやすいはずれ演出用の変動パターンのうち、最も演出時間が長い変動パターンＰ１３に基づく図柄変動ゲームを実行させ、遊技球が始動入賞口２２に入賞するまでの時間を稼ぎ、保留記憶数が無くならないようにしている。これにより、図柄変動ゲームを連続して実行させることができ、遊技者を飽きないようにすることができる。その一方、入球率向上状態が付与されていない場合であって、保留記憶数が４（上限値）である場合、始動入賞口２２に遊技球が入賞して、入賞が無駄になることがないようにするため、最も演出時間が短い変動パターンＰ１５に基づく図柄変動ゲームを実行させている。
【０１１５】
また、このステップＳ３５において、入球率向上状態が付与されている場合、保留記憶数に関係なく、メインＣＰＵ３０ａは、演出時間が７５００ｍｓである変動パターンＰ１６又は演出時間が３５００ｍｓである変動パターンＰ１７のいずれかを乱数抽選により決定する。
【０１１６】
その後、メインＣＰＵ３０ａは、ステップＳ２７の処理に移行し、前述同様、統括制御基板３１（統括ＣＰＵ３１ａ）に対し、所定の制御コマンドを所定のタイミングで出力する等、図柄変動ゲームに関する各種処理を実行し、変動パターン決定処理を終了する。なお、その後に、変動パターン決定処理とは別の処理で、メインＣＰＵ３０ａは、前記指定した変動パターンに定められている演出時間に基づいて、決定した最終停止図柄を表示させるように特図表示器Ｈ１の表示内容を制御する。また、メインＣＰＵ３０ａは、前記指定した変動パターンに定められている演出時間に基づいて、飾図の変動停止を指示し、図柄組み合わせを確定停止表示させるための全図柄停止コマンドを出力する。
【０１１７】
そして、メインＣＰＵ３０ａは、大当りを決定した場合、決定した変動パターンに基づく図柄変動ゲームの終了後、最終停止図柄に基づき特定された種類の大当り遊技の制御を開始し、統括制御基板３１（統括ＣＰＵ３１ａ）に対し、所定の制御コマンドを所定のタイミングで出力する。以下、メインＣＰＵ３０ａが実行する制御内容について、１５Ｒ確変大当り遊技、７Ｒ確変大当り遊技、第１の２Ｒ確変大当り遊技、第２の２Ｒ確変大当り遊技、第３の２Ｒ確変大当り遊技及び２Ｒ非確変大当り遊技の大当り遊技毎に説明する。
【０１１８】
最初に、１５Ｒ確変大当り遊技及び７Ｒ確変大当り遊技が付与されるときの制御、すなわち、特別図柄種別フラグに［０２Ｈ］〜［０５Ｈ］が設定されていた場合にメインＣＰＵ３０ａが行う制御について説明する。なお、前記特別図柄種別フラグ（当り種別フラグ）は、大当り遊技の種類及び当該大当り当選時の遊技状態（入球率向上状態付与の有無）を示すフラグである（詳しくは後述する）。
【０１１９】
メインＣＰＵ３０ａは、図柄変動ゲームが終了すると、オープニングコマンドを出力するとともに、オープニング時間（６秒）の計測を開始する。また、メインＣＰＵ３０ａは、大当り遊技中、遊技状態を示すシステムフラグに［０１Ｈ］を設定し、大当り遊技中であることを示す。なお、システムフラグに［００Ｈ］が設定されている場合には、変動ゲーム中であることを示し、［０２Ｈ］が設定されている場合には、小当り遊技中であることを示している。
【０１２０】
次に、メインＣＰＵ３０ａは、オープニング時間が経過すると、１ラウンド目のラウンド遊技を開始させるべく１ラウンド目に対応するラウンドコマンドを出力するとともに、ラウンド遊技時間（ｍａｘ２５秒）の計測を開始し、さらに開放信号を出力する。これにより、パチンコ機１０では、１ラウンド目のラウンド遊技の開始に伴って大入賞口２３の大入賞口扉２４が開放される。そして、メインＣＰＵ３０ａは、１ラウンド目のラウンド遊技において終了条件が満たされると、閉鎖信号を出力する。これにより、パチンコ遊技機１０では、１ラウンド目のラウンド遊技の終了に伴って大入賞口２３の大入賞口扉２４が閉鎖される。
【０１２１】
１ラウンド目のラウンド遊技を終了させたメインＣＰＵ３０ａは、２ラウンド目のラウンド遊技を開始させるために、１ラウンド目と２ラウンド目の間に設定されるラウンド間インターバルのインターバル時間（２．０秒）の経過後に、２ラウンド目に対応するラウンドコマンドを出力する。そして、メインＣＰＵ３０ａは、２ラウンド目のラウンド遊技で終了条件が満たされると、同様に２ラウンド目のラウンド遊技を終了する。以降同様に、メインＣＰＵ３０ａは、３ラウンド目〜１５ラウンド目（７Ｒ確変大当り遊技の場合には７ラウンド目）のラウンド遊技を制御する。そして、メインＣＰＵ３０ａは、最終ラウンドのラウンド遊技が終了すると、最終開放インターバル時間（１．９９６秒）の経過後にエンディングコマンドを出力するとともに、エンディング時間（１４．５秒）の計測を開始する。そして、メインＣＰＵ３０ａは、エンディング時間の経過後、大当り遊技を終了させる。
【０１２２】
次に、第１の２Ｒ確変大当り遊技〜第３の２Ｒ確変大当り遊技、及び２Ｒ非確変大当り遊技が付与されるときの制御、すなわち、特別図柄種別フラグに［００Ｈ］、［０１Ｈ］、［０６Ｈ］〜［０ＢＨ］が設定されていた場合にメインＣＰＵ３０ａが行う制御について説明する。
【０１２３】
メインＣＰＵ３０ａは、図柄変動ゲームが終了すると、オープニングコマンドを出力するとともに、オープニング時間（０．００４秒）の計測を開始する。また、メインＣＰＵ３０ａは、大当り遊技中、遊技状態を示すシステムフラグに［０１Ｈ］を設定し、大当り遊技中であることを示す。次に、メインＣＰＵ３０ａは、オープニング時間が経過すると、１ラウンド目のラウンド遊技を開始させるべく１ラウンド目に対応するラウンドコマンドを出力するとともに、ラウンド遊技時間（ｍａｘ０．３秒）の計測を開始する。また、メインＣＰＵ３０ａは、開放信号を出力する。そして、メインＣＰＵ３０ａは、大入賞口扉２４を開放（１回目の開放）させてからの時間を計測し、ラウンド遊技時間（０．３秒）が経過したならば、１ラウンド目のラウンド遊技を終了させるべく、閉鎖信号を出力する。
【０１２４】
次に、メインＣＰＵ３０ａは、１ラウンド目のラウンド遊技を終了させてからの時間を計測する。このとき、メインＣＰＵ３０ａは、１ラウンド目のラウンド遊技と２ラウンド目のラウンド遊技の間に設定されるラウンド間インターバルのインターバル時間（２．０秒）を計測する。次に、メインＣＰＵ３０ａは、インターバル時間が経過したならば、２ラウンド目のラウンド遊技を開始させるべく２ラウンド目に対応するラウンドコマンドを出力するとともに、ラウンド遊技時間（ｍａｘ０．３秒）の計測を開始する。また、メインＣＰＵ３０ａは、開放信号を出力する。そして、メインＣＰＵ３０ａは、大入賞口扉２４を開放（２回目の開放）させてからの時間を計測し、ラウンド遊技時間（０．３秒）が経過したならば、２ラウンド目のラウンド遊技を終了させるべく、閉鎖信号を出力する。
【０１２５】
次に、メインＣＰＵ３０ａは、２ラウンド目のラウンド遊技を終了させてからの時間を計測する。そして、メインＣＰＵ３０ａは、２ラウンド目のラウンド遊技が終了してから、最終開放インターバル時間（１．９９６秒）の経過後にエンディングコマンドを出力する。また、メインＣＰＵ３０ａは、２ラウンド目のラウンド遊技が終了すると、最終開放インターバル時間（１．９９６秒）の経過後に大当り遊技の種類及び遊技状態に応じてエンディング時間の計測を開始する。そして、メインＣＰＵ３０ａは、第１の２Ｒ確変大当り遊技、第３の２Ｒ確変大当り遊技又は２Ｒ非確変大当り遊技が付与された場合であって、大当り遊技終了後に入球率向上状態を付与しない場合（特別図柄種別フラグに［００Ｈ］、［０６Ｈ］、［０ＡＨ］が設定されていた場合）には、１．４秒経過後、大当り遊技を終了させる。一方、メインＣＰＵ３０ａは、第１の２Ｒ確変大当り遊技、第３の２Ｒ確変大当り遊技又は２Ｒ非確変大当り遊技が付与された場合であって大当り遊技終了後に入球率向上状態を付与する場合（特別図柄種別フラグに［０１Ｈ］、［０７Ｈ］、［０ＢＨ］が設定されていた場合）、７秒経過後、大当り遊技を終了させる。或いはメインＣＰＵ３０ａは、第２の２Ｒ確変大当り遊技が付与される場合（特別図柄種別フラグに［０８Ｈ］、［０９Ｈ］が設定されていた場合）には、７秒経過後、大当り遊技を終了させる。
【０１２６】
また、メインＣＰＵ３０ａは、小当りを決定した場合、決定した変動パターンに基づく図柄変動ゲームの終了後、小当り遊技の制御を開始し、統括制御基板３１（統括ＣＰＵ３１ａ）に対し、所定の制御コマンドを所定のタイミングで出力する。以下、小当り遊技が付与されるときの制御について詳しく説明する。
【０１２７】
メインＣＰＵ３０ａは、図柄変動ゲームが終了すると、１ラウンド目のラウンド遊技を開始させるべく１ラウンド目に対応するラウンドコマンドを出力するとともに、ラウンド遊技時間（ｍａｘ２．６秒）の計測を開始する。また、メインＣＰＵ３０ａは、大当り遊技中、遊技状態を示すシステムフラグに［０２Ｈ］を設定し、小当り遊技中であることを示す。そして、本実施形態においてメインＣＰＵ３０ａは、大入賞口扉２４を、入球上限個数の遊技球が入球していないことを条件に、最大２回開放させる。１ラウンド目のラウンド遊技を開始させるメインＣＰＵ３０ａは、まず、１回目の大入賞口扉２４の開放として、開放信号を出力する。そして、メインＣＰＵ３０ａは、大入賞口扉２４を開放（１回目の開放）させてからの時間を計測し、開放時間（０．３秒）が経過したならば、１回目の大入賞口扉２４の開放を終了させるべく、閉鎖信号を出力する。
【０１２８】
次に、メインＣＰＵ３０ａは、大入賞口扉２４を閉鎖（１回目の閉鎖）させてからの時間を計測する。このとき、メインＣＰＵ３０ａは、大入賞口扉２４の１回目と２回目の開放間に設定されるラウンド内インターバルのインターバル時間（２．０（秒））を計測する。次に、メインＣＰＵ３０ａは、インターバル時間が経過したならば、２回目の大入賞口扉２４の開放として、開放信号を出力する。そして、メインＣＰＵ３０ａは、大入賞口扉２４を開放（２回目の開放）させてからの時間を計測し、開放時間（０．３（秒））が経過したならば、２回目の大入賞口扉２４の開放を終了させるべく、閉鎖信号を出力する。これにより、小当り遊技におけるラウンド遊技が終了する。
【０１２９】
次に、メインＣＰＵ３０ａは、ラウンド遊技を終了させてからの時間を計測する。そして、メインＣＰＵ３０ａは、最終開放インターバル時間（０．０１２秒）の経過後にエンディングコマンドを出力するとともに、エンディング時間の計測を開始する。エンディング時間の経過後（小当り遊技後に入球率向上状態が付与されない場合には３．３８８秒経過後、入球率向上状態が付与される場合には８．９８８秒経過後）、メインＣＰＵ３０ａは、小当り遊技を終了させる。
【０１３０】
次に、大当り遊技終了後の遊技状態を定める各種フラグを設定するための処理について説明する。まず、メインＣＰＵ３０ａは、大当り判定に当選して、その後に決定した最終停止図柄に基づき、特別図柄種別フラグテーブルＴ１０を参照して、アドレスの値を決定する。特別図柄種別フラグテーブルＴ１０には、図１１に示すように、各特図の分類毎に異なるアドレスの値が定められている。具体的には、図柄Ａに分類される特図［１］〜［９］には、アドレス［０２Ｈ］が設定されており、図柄Ｂに分類される特図［１０］〜［１８］には、アドレス［０４Ｈ］が設定されている。また、図柄Ｃに分類される特図［１９］〜［２７］には、アドレス［０６Ｈ］が設定されており、図柄Ｄに分類される特図［２８］〜［２９］には、アドレス［０８Ｈ］が設定されている。また、図柄Ｅに分類される特図［３０］〜［３６］には、アドレス［０ＡＨ］が設定されており、図柄Ｆに分類される特図［３７］〜［５４］には、アドレス［００Ｈ］が設定されている。
【０１３１】
そして、メインＣＰＵ３０ａは、大当り当選時に入球率向上状態が付与されていた場合には、決定したアドレスの値に［０１Ｈ］加算した値を特別図柄種別フラグの値として決定する。一方、メインＣＰＵ３０ａは、大当り当選時に入球率向上状態が付与されていなかった場合には、決定したアドレスの値に［００Ｈ］加算した値を特別図柄種別フラグの値として決定する。
【０１３２】
例えば、アドレスが［０２Ｈ］であるときに、入球率向上状態が付与されていない場合、メインＣＰＵ３０ａは、アドレス［０２Ｈ］に［００Ｈ］加算した値［０２Ｈ］を特別図柄種別フラグの値とする。また、アドレスが［０ＡＨ］であるときに、入球率向上状態が付与されている場合、メインＣＰＵ３０ａは、アドレス［０ＡＨ］に［０１Ｈ］を加算した値［０ＢＨ］を特別図柄種別フラグの値とする。
【０１３３】
次に、メインＣＰＵ３０ａは、図１２（ａ）に示すように、特別図柄確率変動予備フラグテーブルＴ２０を参照して、大当り終了後の特別図柄確率変動フラグの値を示す特別図柄確率変動予備フラグの値を決定する。前記特別図柄確率変動フラグは、確変状態が付与されているか否かを示すフラグである。
【０１３４】
前記特別図柄確率変動予備フラグテーブルＴ２０では、各特別図柄種別フラグ毎に特別図柄確率変動予備フラグの値が定められている。特別図柄確率変動予備フラグに［００Ｈ］が設定される場合には、大当り遊技終了後に非確変状態となることを示しており、特別図柄確率変動予備フラグに［０１Ｈ］が設定される場合には、大当り遊技終了後に確変状態となることを示している。また、メインＣＰＵ３０ａは、特別図柄確率変動予備フラグに［００Ｈ］が設定される場合、大当り遊技終了時に特別図柄確率変動フラグに［００Ｈ］を設定し、特別図柄確率変動予備フラグに［０１Ｈ］が設定される場合には、大当り遊技終了時に特別図柄確率変動フラグに［０１Ｈ］を設定するようになっている。本実施形態では、図柄Ｆに分類される大当り図柄が決定された場合、特別図柄確率変動予備フラグに［００Ｈ］が設定され、それ以外の大当り図柄が決定された場合には、特別図柄確率変動予備フラグに［０１Ｈ］が設定されるようになっている。
【０１３５】
次に、メインＣＰＵ３０ａは、図１２（ｂ）に示す変動時間短縮予備フラグテーブルＴ３０を参照して、大当り終了後の変動時間短縮フラグの値を示す変動時間短縮予備フラグの値を決定する。前記変動時間短縮フラグは、入球率向上状態が付与されているか否かを示している。
【０１３６】
前記変動時間短縮予備フラグテーブルＴ３０では、各特別図柄種別フラグ毎に変動時間短縮予備フラグの値が定められている。なお、変動時間短縮予備フラグに［００Ｈ］が設定される場合には、大当り遊技終了後、入球率向上状態が付与されないことを示しており、変動時間短縮予備フラグに［０１Ｈ］が設定される場合には、大当り遊技終了後、入球率向上状態が付与されることを示している。また、メインＣＰＵ３０ａは、変動時間短縮予備フラグに［００Ｈ］が設定される場合、大当り遊技終了時に変動時間短縮フラグに［００Ｈ］を設定し、変動時間短縮予備フラグに［０１Ｈ］が設定される場合には、大当り遊技終了時に変動時間短縮フラグに［０１Ｈ］を設定するようになっている。
【０１３７】
本実施形態では、入球率向上状態が付与されていないときに、図柄Ｃ，Ｅ，Ｆに分類される大当り図柄が決定された場合、変動時間短縮予備フラグに［００Ｈ］が設定され、それ以外の場合には、変動時間短縮予備フラグに［０１Ｈ］が設定されるようになっている。
【０１３８】
次に、メインＣＰＵ３０ａは、図１２（ｃ）に示す普通図柄確率変動予備フラグテーブルＴ４０を参照して、大当り終了後の普通図柄確率変動フラグの値を示す普通図柄確率変動予備フラグの値を決定する。前記普通図柄確率変動フラグは、普図ゲームの当選確率を低確率から高確率へ変動させた状態であるか否かを示す。すなわち、本実施形態では、入球率向上状態が付与されるか否かを示し、変動時間短縮予備フラグと実質的に同一である。前記普通図柄確率変動予備フラグテーブルＴ４０では、各特別図柄種別フラグ毎に普通図柄確率変動予備フラグの値が定められている。なお、普通図柄確率変動予備フラグに［００Ｈ］が設定される場合には、大当り遊技終了後、入球率向上状態が付与されないことを示しており、普通図柄確率変動予備フラグに［０１Ｈ］が設定される場合には、大当り遊技終了後、入球率向上状態が付与されることを示している。また、メインＣＰＵ３０ａは、普通図柄確率変動予備フラグに［００Ｈ］が設定される場合、大当り遊技終了時、普通図柄確率変動フラグに［００Ｈ］を設定し、普通図柄確率変動予備フラグに［０１Ｈ］が設定される場合には、大当り遊技終了時、普通図柄確率変動フラグに［０１Ｈ］を設定するようになっている。
【０１３９】
次に、メインＣＰＵ３０ａは、図１２（ｄ）に示す特別図柄変動時間短縮回数テーブルＴ５０を参照して、大当り終了後の短縮変動回数の値を示す短縮変動回数予備の値を決定する。なお、短縮変動回数とは、入球率向上状態が付与される変動ゲームの回数である。前記特別図柄変動時間短縮回数テーブルＴ５０では、各特別図柄種別フラグ毎に短縮変動回数予備の値が定められている。なお、短縮変動回数予備に［００Ｈ］が設定される場合には、大当り遊技終了後、入球率向上状態が次の大当り遊技まで付与される、又は入球率向上状態が付与されないことを示している。その一方、短縮変動回数予備に［３２Ｈ］が設定される場合には、大当り遊技終了後、入球率向上状態が５０回の図柄変動ゲームにて設定されることを示している。
【０１４０】
また、メインＣＰＵ３０ａは、短縮変動回数予備に［００Ｈ］が設定される場合には、大当り遊技終了時に入球率向上状態の設定回数を示す短縮変動回数に０回を設定し、短縮変動回数予備に［３２Ｈ］が設定される場合には、短縮変動回数に５０回を設定するようになっている。従って、入球率向上状態が付与されているときに、図柄Ｆ、Ｃに分類される大当り図柄が決定された場合には、短縮変動回数予備に［３２Ｈ］が設定されることとなり、それ以外の場合には、短縮変動回数予備に［００Ｈ］が設定されることとなる。なお、短縮変動回数に［００Ｈ］が設定された場合であっても、変動時間短縮フラグ及び普通図柄確率変動フラグに［０１Ｈ］が設定された場合には、次の大当り遊技が付与されるまで入球率向上状態が付与されるようになっている。例えば、特別図柄種別フラグに［０２Ｈ］が設定される場合（入球率向上状態が付与されていないときに１５Ｒ確変大当り遊技が付与される場合）、変動時間短縮フラグ及び普通図柄確率変動フラグに［０１Ｈ］が設定されるので、次の大当り遊技が付与されるまで入球率向上状態が付与されるようになっている。以上のように、メインＣＰＵ３０ａが、各種フラグを設定することにより、当該各種フラグに基づき、遊技状態を制御することができるようになっている。
【０１４１】
次に、メインＣＰＵ３０ａが、前枠１４又は中枠１２が開放していることを検知するための処理について説明する。メインＣＰＵ３０ａは、扉開放センサＳＥ０から開放検知信号を入力すると、開放検知信号に応じて、警告音を出力させるエラー報知コマンドを音声制御基板３４に出力する。音声制御基板３４は、当該エラー報知コマンドを入力すると、所定の警告音を出力させるようにスピーカ１７を制御する。また、メインＣＰＵ３０ａは、開放検知信号を入力すると、前枠１４又は中枠１２が開放していることを示す扉開放フラグに「００Ｈ」を設定するようになっている。当該扉開放フラグは、ＲＡＭ３０ｃに記憶されるようになっている。
【０１４２】
次に、メインＣＰＵ３０ａが、外部装置（ホールコンピュータＨＣ、当り回数報知装置ＫＨ）に対して遊技に関する遊技情報を出力するための処理について説明する。
メインＣＰＵ３０ａは、各種フラグに基づき、情報出力フラグの値を設定する。前記情報出力フラグは、出力する遊技情報を示すためのフラグであり、本実施形態では、８ｂｉｔの情報量を有している。情報出力フラグの１ｂｉｔ目には、大当り終了後に入球率向上状態が付与される大当り遊技中である、又は入球率向上状態中であることを示す第１遊技情報が設定される。従って、情報出力フラグの１ｂｉｔ目に「１」が設定された場合には、大当り終了後に入球率向上状態が付与される大当り遊技中である、又は入球率向上状態中であることを示している。
【０１４３】
情報出力フラグの２ｂｉｔ目には、大当り遊技中であることを示す第２遊技情報が設定される。従って、情報出力フラグの２ｂｉｔ目に「１」が設定された場合には、大当り遊技中であることを示している。情報出力フラグの３ｂｉｔ目には、入球率向上状態中であるか否かを示す第３遊技情報が設定される。従って、情報出力フラグの３ｂｉｔ目に「１」が設定された場合には、入球率向上状態が付与されていることを示している。
【０１４４】
情報出力フラグの４ｂｉｔ目は、大当り遊技終了後に入球率向上状態が付与される大当り遊技中であることを示す第４遊技情報が設定される。情報出力フラグの５ｂｉｔ目には、始動口センサＳＷ１から検知信号が入力されたことを示す第５遊技状態が設定される。すなわち、情報出力フラグの５ｂｉｔ目に「１」が設定された場合には、始動入賞口２２に遊技球が入賞したことを示している。
【０１４５】
情報出力フラグの６ｂｉｔ目は、特図が確定停止したか否かを示す第６遊技情報が設定される。従って、情報出力フラグの６ｂｉｔ目に「１」が設定された場合には、特図が確定停止したことを示している。情報出力フラグの７ｂｉｔ目には、大当り遊技中、又は入球率向上状態が付与されていないときの小当り遊技中であることを示す第７遊技情報が設定される。従って、情報出力フラグの７ｂｉｔ目に「１」が設定された場合には、大当り遊技中、又は入球率向上状態が付与されていないときの小当り遊技中であることを示している。情報出力フラグの８ｂｉｔ目には、前枠１４又は中枠１２が開放されていることを示す第８遊技情報が設定される。従って、情報出力フラグの８ｂｉｔ目に「１」が設定された場合には、前枠１４又は中枠１２が開放されていることを示している。
【０１４６】
そして、メインＣＰＵ３０ａは、情報出力フラグに値を設定する際、まず、第１情報信号作成処理を実行する。その際、メインＣＰＵ３０ａは、図１３に示すように、扉開放フラグ、システムフラグ、変動時間短縮フラグの値に基づき、設定データを取得し、取得した設定データを合算したものを情報出力フラグの値として設定する。前記扉開放フラグは、前枠１４又は中枠１２が開放されたときに値が設定されるようになっている。具体的には、メインＣＰＵ３０ａは、扉開放フラグに［００Ｈ］以外が設定されている場合には、設定データとして［００Ｈ］を取得し、［００Ｈ］が設定されている場合には、設定データとして［８０Ｈ］を取得するようになっている。従って、設定データ［８０Ｈ］を２進数に直すと［１０００００００］となり、前枠１４又は中枠１２が開放されると、情報出力フラグの８ｂｉｔ目に［１］が設定されることとなる。
【０１４７】
また、メインＣＰＵ３０ａは、システムフラグに［０１Ｈ］が設定されている場合（大当り遊技中である場合）には、設定データとして［４２Ｈ］を取得する。そして、メインＣＰＵ３０ａは、［０１Ｈ］（大当り遊技中である場合）以外の値が設定されている場合（例えば、変動ゲーム中）には、設定データとして［００Ｈ］を取得するようになっている。そして、設定データ［４２Ｈ］を２進数に直すと［０１００００１０］となるので、大当り遊技中である場合には、情報出力フラグの２ｂｉｔ目と７ｂｉｔ目に［１］が設定されることとなる。
【０１４８】
また、メインＣＰＵ３０ａは、変動時間短縮フラグに［０１Ｈ］以外の値が設定されている場合（入球率向上状態が付与されていない場合）には、設定データとして［００Ｈ］を取得し、変動時間短縮フラグに［０１Ｈ］が設定されている場合（入球率向上状態が付与されている場合）には、設定データとして［０５Ｈ］を取得するようになっている。そして、設定データ［０５Ｈ］を２進数に直すと［０００００１０１］となるので、入球率向上状態が付与されている場合には、情報出力フラグの１ｂｉｔ目と３ｂｉｔ目に［１］が設定されることとなる。
【０１４９】
次に、メインＣＰＵ３０ａは、第２情報信号作成処理を実行する。その際、メインＣＰＵ３０ａは、図１４に示すように、システムフラグ、変動時間短縮フラグ、変動時間短縮予備フラグの値に基づき、情報出力フラグに値を設定する。具体的には、メインＣＰＵ３０ａは、システムフラグに［０１Ｈ］が設定されている場合であって、変動時間短縮予備フラグの値が［０１Ｈ］の場合には、設定データとして［０９Ｈ］を取得する。そして、設定データ［０９Ｈ］を２進数に直すと［００００１００１］となるので、この場合には、情報出力フラグの１ｂｉｔ目及び４ｂｉｔ目に［１］を設定することとなる。すなわち、メインＣＰＵ３０ａは、大当り遊技終了後に入球率向上状態が付与される大当り遊技中であるとき、情報出力フラグの１ｂｉｔ目及び４ｂｉｔ目に［１］を設定する。
【０１５０】
また、メインＣＰＵ３０ａは、システムフラグに［０２Ｈ］が設定されているとき（小当り遊技中）に、変動時間短縮フラグの値が［０１Ｈ］以外の場合には、設定データとして［４０Ｈ］を取得する。そして、設定データ［４０Ｈ］を２進数に直すと［０１００００００］となるので、この場合には、情報出力フラグの７ｂｉｔ目に［１］を設定することとなる。すなわち、メインＣＰＵ３０ａは、入球率向上状態が付与されていない状態で、小当り遊技となった小当り遊技中、情報出力フラグの７ｂｉｔ目に［１］を設定する。
【０１５１】
そして、メインＣＰＵ３０ａは、第３情報信号作成処理を実行する。この処理において、メインＣＰＵ３０ａは、始動入賞口２２から検知信号を入力すると、情報出力フラグの５ｂｉｔ目に［１］を設定する。また、メインＣＰＵ３０ａは、図柄変動ゲームが終了すると（全図柄停止コマンドを出力するとき）、情報出力フラグの６ｂｉｔ目に［１］を設定する。
【０１５２】
そして、このように設定した情報出力フラグに基づき、メインＣＰＵ３０ａは、所定周期毎（本実施形態では、２ｍｓ毎）に実行される出力処理において、外部端子板５３を介して遊技情報をホールコンピュータＨＣ等の外部装置に出力するようになっている。すなわち、メインＣＰＵ３０ａは、情報出力フラグの第１〜第８遊技情報に設定された値を外部装置に出力するようになっている。また、メインＣＰＵ３０ａは、第７遊技情報を当り遊技の回数として、遊技者に対して報知する当り回数報知装置ＫＨに対して出力する。そして、当り回数報知装置ＫＨは、第７遊技情報に「１」が設定された回数を、当り回数として表示する。また、メインＣＰＵ３０ａは、第６遊技情報を図柄変動ゲームの回数として、遊技者に対して報知する当り回数報知装置ＫＨに対して出力する。そして、当り回数報知装置ＫＨは、第６遊技情報に「１」が設定された回数を、図柄変動ゲーム回数として表示する。
【０１５３】
このように大当り遊技及び小当り遊技を実行させることにより、本実施形態では、大当り遊技終了後に入球率向上状態が付与されない場合、第１の２Ｒ確変大当り遊技、第３の２Ｒ確変大当り遊技、２Ｒ非確変大当り遊技及び小当り遊技では、大入賞口扉２４の開放態様が同一態様となる。以上のことから、本実施形態のパチンコ遊技機１０では、大当り遊技終了後に入球率向上状態が付与されない場合、大入賞口扉２４の開放態様を視認しても第１の２Ｒ確変大当り遊技、第３の２Ｒ確変大当り遊技、２Ｒ非確変大当り遊技及び小当り遊技のいずれであるか区別できない。また、入球率向上状態が付与されないときに、第１の２Ｒ確変大当り遊技、第３の２Ｒ確変大当り遊技、２Ｒ非確変大当り遊技又は小当り遊技に当選した場合には、変動パターンＰ９に基づく図柄変動ゲームが実行される。以上のことから、入球率向上状態が付与されないときに、第１の２Ｒ確変大当り遊技、第３の２Ｒ確変大当り遊技、２Ｒ非確変大当り遊技又は小当り遊技に当選した場合には、図柄変動ゲームの演出内容、大入賞口扉２４の開放態様などからいずれの当り遊技が実行されたか判別できない。従って、このような状態では、確変状態が付与されているかもしれないと遊技者に期待させることができ、遊技を継続させることができる。
【０１５４】
また、このように大当り遊技及び小当り遊技を実行させることにより、本実施形態では、大当り遊技終了後に入球率向上状態が付与される場合、第１の２Ｒ確変大当り遊技〜第３の２Ｒ確変大当り遊技、２Ｒ非確変大当り遊技及び小当り遊技は、大入賞口扉２４の開放態様が同一態様となる。また、入球率向上状態が付与される場合であって、第１の２Ｒ確変大当り遊技又は２Ｒ非確変大当り遊技が付与される場合には、変動パターンＰ５に基づく図柄変動ゲームが実行される。以上のことから、本実施形態のパチンコ遊技機１０では、入球率向上状態が付与される場合であって、第１の２Ｒ確変大当り遊技又は２Ｒ非確変大当り遊技が付与される場合に、変動パターンＰ５に基づく図柄変動ゲームが実行されたとき、図柄変動ゲームの演出内容、大入賞口扉２４の開放態様などからいずれの当り遊技が実行されたか判別できない。このため、このような状態では、確変状態が付与されているかもしれないと遊技者に期待させることができ、遊技を継続させることができる。
【０１５５】
以上のように、本実施形態のメインＣＰＵ３０ａは、図柄変動ゲームが大当りとなるか否かを判定する大当り判定手段となる。また、メインＣＰＵ３０ａは、変動パターンを決定する変動パターン決定手段となる。また、メインＣＰＵ３０ａは、遊技球の入賞検知を契機に当り判定用乱数を取得する乱数取得手段となる。また、メインＣＰＵ３０ａは、いずれの大当り遊技を付与するかを決定する大当り遊技決定手段となる。また、メインＣＰＵ３０ａは、大当り遊技を付与する大当り遊技付与手段となる。また、メインＣＰＵ３０ａは、入球率向上状態を付与するか否かを決定する入球率向上状態決定手段となる。また、メインＣＰＵ３０ａは、入球率向上状態を付与する入球率向上状態付与手段となる。また、メインＣＰＵ３０ａは、外部装置に第７遊技情報（当り遊技情報）を出力する遊技情報出力手段となる。また、メインＣＰＵ３０ａは、小当りか否かを判定する小当り判定手段となる。また、メインＣＰＵ３０ａは、小当り遊技を付与する小当り遊技付与手段となる。また、メインＣＰＵ３０ａは、確変状態を大当り遊技終了後に付与するか否かを判定する確変判定手段となる。また、メインＣＰＵ３０ａは、確変状態を付与する確変付与手段となる。また、メインＣＰＵ３０ａは、図柄変動ゲームの結果（最終停止図柄）を示す特別図柄を決定する図柄決定手段となる。
【０１５６】
次に、統括制御基板３１の統括ＣＰＵ３１ａが統括制御プログラムに基づき実行する各種処理について説明する。メインＣＰＵ３０ａから所定の制御コマンドを所定のタイミングで入力すると、統括ＣＰＵ３１ａは、制御コマンドに応じた処理を実行したり、所定の制御コマンドを所定のタイミングで出力したりする。具体的に言えば、統括ＣＰＵ３１ａは、変動パターン指定コマンドを入力すると、当該変動パターン指定コマンドを各制御基板３２〜３４に出力する。
【０１５７】
また、統括ＣＰＵ３１ａは、変動パターン指定コマンド及び特別図柄指定コマンドを入力すると、指定された最終停止図柄及び変動パターンに基づき、可変表示器Ｈ２に最終的に確定停止表示させる飾り図柄による図柄組み合わせ（以下、確定停止飾図と示す）を決定する。
【０１５８】
詳しく説明すると、図１５に示すように、ＲＯＭ３１ｂは、当り演出用の変動パターン毎に、決定される可能性がある確定停止飾図を対応付けて記憶している。そして、対応付けられた各確定停止飾図には、飾図決定用乱数が１又は複数振り分けられている。飾図決定用乱数は、予め定められた数値範囲内（本実施形態では、「０」〜「２５０」の全２５１通りの整数）の数値を取り得るように、統括ＣＰＵ３１ａにより所定の周期毎（２ｍｓ毎）に１加算されて更新されるようになっている。この飾図決定用乱数は、ＲＡＭ３１ｃに記憶されるようになっている。なお、図１５（ａ）に示すように、当り演出用の変動パターンＰ１，Ｐ３，Ｐ６，Ｐ７，Ｐ８に対応付けられた確定停止飾図は、最終停止図柄によって飾図決定用乱数の振り分けが異なるようになっている。統括ＣＰＵ３１ａは、取得した飾図決定用乱数、指定された最終停止図柄及び変動パターンに基づき、確定停止飾図を決定する。また、特図Ａが最終停止図柄として決定された場合に、確定停止飾図として［７７７］が決定されなかった場合、大当り遊技中に、１５Ｒ確変大当り遊技が付与されることを報知するようになっている。
【０１５９】
また、特別図柄指定コマンドにより指定される最終停止図柄（特図）がはずれ図柄であって、はずれリーチ演出用の変動パターンＰ１１が指定された場合、統括ＣＰＵ３１ａは、確定停止飾図として、はずれリーチの図柄組み合わせを決定する。その際、統括ＣＰＵ３１ａは、はずれリーチの図柄組み合わせを構成する飾図として「７」を決定しないように（すなわち、［７↓７］のリーチの図柄組み合わせが表示されないように）する。また、特別図柄指定コマンドにより指定される最終停止図柄（特図）がはずれ図柄であって、はずれリーチ演出用の変動パターンＰ１２が指定された場合、統括ＣＰＵ３１ａは、確定停止飾図として、はずれリーチの図柄組み合わせを決定する。また、特別図柄指定コマンドにより指定される最終停止図柄（特図）がはずれ図柄であって、はずれ演出用の変動パターンＰ１３〜Ｐ１７が指定された場合、統括ＣＰＵ３１ａは、確定停止飾図として、はずれの図柄組み合わせを決定する。そして、統括ＣＰＵ３１ａは、決定した各列の飾り図柄（確定停止飾図）を指定する飾り図柄指定コマンドを表示制御基板３２に出力する。また、統括ＣＰＵ３１ａは、全図柄停止コマンドを入力すると、当該コマンドを表示制御基板３２に出力する。
【０１６０】
また、変動パターンＰ６，Ｐ７，Ｐ８に基づく図柄変動ゲームの演出内容には、再抽選演出（再変動演出）が含まれている。このため、統括ＣＰＵ３１ａは、変動パターンＰ６，Ｐ７，Ｐ８が指定された場合、再抽選演出を実行させるために、決定された確定停止飾図に基づき、仮図柄を決定するようになっている。以下、詳しく説明する。
【０１６１】
統括ＣＰＵ３１ａは、確定停止飾図として、飾図「７」による大当りの図柄組み合わせ［７７７］を決定した場合（特図Ａである場合）には、全ての飾図から１種類の飾図を決定し、決定した飾図からなる大当りの図柄組み合わせを仮図柄とする。一方、統括ＣＰＵ３１ａは、確定停止飾図として、飾図「７」以外による大当りの図柄組み合わせを決定した場合には、確定停止飾図と同一の図柄組み合わせを仮図柄とする。そして、統括ＣＰＵ３１ａは、決定した仮図柄を指定する仮図柄指定コマンドを指定する仮図柄指定コマンドを表示制御基板３２に出力する。
【０１６２】
また、統括ＣＰＵ３１ａは、変動パターンＰ８又は変動パターンＰ１２を入力すると、リーチ演出の演出内容を特定する演出実行パターンを決定する。具体的には、統括ＣＰＵ３１ａは、大当り演出用の変動パターンＰ８を入力すると、各リーチ演出Ｒ１〜Ｒ４の演出実行パターンの中から乱数抽選により演出実行パターンを決定する。なお、大当り演出用の変動パターンＰ１の入力時において、各リーチ演出が決定される割合は、リーチ演出Ｒ４＜リーチ演出Ｒ１＜リーチ演出Ｒ２＜リーチ演出Ｒ３という順番で、リーチ演出Ｒ３が決定される確率が一番高くなっている。そして、統括ＣＰＵ３１ａは、リーチ演出Ｒ１〜Ｒ４の演出実行パターンを決定すると、リーチ演出（演出内容）を指定する演出実行パターンを指定する演出実行パターン指定コマンドを各制御基板３２〜３４に出力する。
【０１６３】
同様に、統括ＣＰＵ３１ａは、はずれリーチ演出用の変動パターンＰ１２を入力すると、各リーチ演出Ｒ１〜Ｒ３の演出実行パターンの中から乱数抽選により演出実行パターンを決定する。なお、はずれリーチ演出用の変動パターンＰ１２の入力時において、各リーチ演出Ｒ１〜Ｒ３が決定される割合は、リーチ演出Ｒ３＜リーチ演出Ｒ２＜リーチ演出Ｒ１という順番で、リーチ演出Ｒ１が決定される確率が一番高くなっている。そして、統括ＣＰＵ３１ａは、リーチ演出Ｒ１〜Ｒ３を決定すると、リーチ演出（演出内容）を指定する演出実行パターンを指定する演出実行パターン指定コマンドを各制御基板３２〜３４に出力する。
【０１６４】
以上のように、大当り演出時と、はずれリーチ演出時とで、各リーチ演出Ｒ１〜Ｒ４の決定確率が異なるようになっている。このため、リーチ演出Ｒ１＜リーチ演出Ｒ２＜リーチ演出Ｒ３＜リーチ演出Ｒ４の順番で大当り信頼度が高くなっている。なお、リーチ演出Ｒ４は、大当り演出時においてのみ選択されるため、大当り確定演出（大当り信頼度が１００％の演出）となっている。また、リーチ演出Ｒ１〜Ｒ４の演出時間を同一時間に設定することにより、いずれのリーチ演出Ｒ１〜Ｒ４も選択することができ、また、リーチ演出Ｒ１〜Ｒ４を行う時間が足らなくなったり、図柄変動ゲームが終了するまで時間が余ったりすることがない。
【０１６５】
そして、本実施形態のパチンコ機１０では、統括ＣＰＵ３１ａにより複数の演出モードが設定されるようになっている。図１６に基づき、詳しく説明すると、統括ＣＰＵ３１ａは、変動パターンＰ１〜Ｐ４，Ｐ６〜Ｐ８，Ｐ１０に基づく図柄変動ゲームが実行され、１５Ｒ確変大当り遊技、７Ｒ確変大当り遊技、第１〜第３の２Ｒ大当り遊技又は小当り遊技が付与された場合、確変状態が付与されたことを示す確変演出モードを設定するようになっている。また、統括ＣＰＵ３１ａは、確変演出モードが設定されているときに、変動パターンＰ５に基づく図柄変動ゲームが実行され、第１の２Ｒ大当り遊技、２Ｒ非確変大当り遊技又は小当り遊技が付与された場合、当り遊技終了後、入球率向上状態の付与が終了するまで又は確変演出モードが新たに設定されるまで、確変状態が付与されている可能性を示唆する確変秘匿モードを設定する。また、統括ＣＰＵ３１ａは、確変秘匿モードが設定されているときに、入球率向上状態の付与が終了した場合、通常モードを設定する。また、統括ＣＰＵ３１ａは、変動パターンＰ９に基づく図柄変動ゲームが実行され、第１の２Ｒ大当り遊技、第３の２Ｒ大当り遊技、２Ｒ非確変大当り遊技又は小当り遊技が付与された場合、当り遊技終了後、予め決められた回数の図柄変動ゲームが終了するまで又は確変演出モードが新たに設定されるまで、通常時確変秘匿モードを設定する。
【０１６６】
そして、本実施形態では、確変演出モード又は確変秘匿モードが設定されているとき、所定の変動パターンＰ１〜Ｐ７，Ｐ１１に基づき図柄変動ゲームが実行されると、通常モード中に実行されるリーチ演出Ｒ１〜Ｒ４とは異なる対決リーチ演出が実行されるようになっている。
【０１６７】
この対決リーチ演出は、図柄変動ゲーム中に、リーチの図柄組み合わせが一旦停止表示された後、特定のキャラクタＫ１〜Ｋ４が遊技者の味方キャラクタとして表示され、敵キャラクタＫ０と対決する演出である。そして、キャラクタＫ１〜Ｋ４が敵キャラクタＫ０を倒した場合には、大当りの図柄組み合わせが確定停止表示され、７Ｒ確変大当り遊技又は１５Ｒ確変遊技状態が付与されるようになっている。その一方、引き分けた場合には、確変示唆の図柄組み合わせが確定停止表示され、確変状態が継続するものの７Ｒ確変大当り遊技又は１５Ｒ確変遊技状態が付与されない（賞球の払い出しが期待できない）ようになっている。また、敵キャラクタＫ０に負けた場合には、大当りの図柄組み合わせが確定停止表示され、確変秘匿モードが設定される（すなわち、確変状態が終了した可能性がある）ようになっている。そして、対決リーチ演出の演出内容は、予め変動パターンに基づき、定められている。
【０１６８】
対決リーチ演出の具体的な演出内容について図１７に基づき説明する。図１７では、対決リーチ演出の演出内容や結果などを図示している。確変演出モード中又は確変秘匿モード中、変動パターンＰ１〜Ｐ７，Ｐ１１に基づく図柄変動ゲームが開始されると、まず、統括ＣＰＵ３１ａによりキャラクタＫ１〜Ｋ４の中より決定された味方キャラクタが表示される。それと共に、敵キャラクタＫ０が表示される。
【０１６９】
次に、指定された変動パターンに基づき、確変演出モードが付与されることを示す確変確定演出又は確変秘匿モードが付与される可能性があることを示す危機演出が実行される。具体的には、前記確変確定演出が実行されると、表示された味方キャラクタが敵キャラクタＫ０に対して攻撃する一方、敵キャラクタＫ０は攻撃に対して防御することによって、確変演出モードが付与されること（すなわち、確変状態が付与されること）を示すようになっている。なお、変動パターンＰ１，Ｐ２，Ｐ６に基づき図柄変動ゲームが実行される場合に、確変確定演出が実行されるようになっている。
【０１７０】
また、本実施形態において、前記危機演出が実行されると、表示された味方キャラクタが敵キャラクタＫ０に対して攻撃する一方、敵キャラクタＫ０も味方キャラクタに対して反撃することによって、確変秘匿モードが付与される可能性があること（すなわち、通常状態が付与される可能性があること）を示すようになっている。なお、変動パターンＰ３，Ｐ４，Ｐ５，Ｐ７，Ｐ１１に基づき図柄変動ゲームが実行される場合に、危機演出が実行されるようになっている。
【０１７１】
確変確定演出又は危機演出が終了すると、１５Ｒ確変大当り遊技或いは７Ｒ大当り遊技が付与されるか否かを示す第１演出、又は確変演出モードが付与されるか否かを示す第２演出が実行される。より詳しくは、確変確定演出が実行された後、第１演出が実行されるようになっている。そして、変動パターンＰ１，Ｐ６に基づき、第１演出が実行された場合、味方キャラクタの攻撃が成功し、敵キャラクタＫ０が倒れて勝利し、１５Ｒ確変大当り遊技又は７Ｒ確変大当り遊技のいずれかが付与されることを示すようになっている。一方、変動パターンＰ２に基づき、第１演出が実行された場合、味方キャラクタの攻撃が失敗し、敵キャラクタＫ０が倒れずに引き分けとなり、１５Ｒ確変大当り遊技又は７Ｒ確変大当り遊技が付与されないことを示すようになっている。
【０１７２】
また、危機演出が実行された場合には、その後、指定された変動パターンに応じて第１演出又は第２演出が実行されるようになっている。詳しくは、変動パターンＰ３に基づき、図柄変動ゲームが実行された場合には、第１演出が実行され、味方キャラクタの攻撃が成功し、敵キャラクタＫ０が倒れて勝利し、１５Ｒ確変大当り遊技又は７Ｒ確変大当り遊技のいずれかが付与されることを示すようになっている。一方、変動パターンＰ４に基づき、図柄変動ゲームが実行された場合には、第２演出が実行され、敵キャラクタＫ０の反撃を味方キャラクタが防御して引き分けとなり、１５Ｒ確変大当り遊技又は７Ｒ確変大当り遊技が付与されないものの、確変演出モードが付与されることを示すようになっている。
【０１７３】
また、変動パターンＰ５に基づき、図柄変動ゲームが実行された場合には、第２演出が実行され、敵キャラクタＫ０の反撃を、味方キャラクタが防御しきれずに倒され敗北し、１５Ｒ確変大当り遊技又は７Ｒ確変大当り遊技が付与されないということと共に、確変演出モードが付与されないことを示すようになっている。また、変動パターンＰ１１に基づき、図柄変動ゲームが実行された場合には、第２演出が実行され、敵キャラクタＫ０の反撃を味方キャラクタが防御して引き分けとなり、現在設定されている演出モードが継続することを示すようになっている。
【０１７４】
このように、確変確定演出が実行された場合には、遊技者に確変秘匿モードが設定されることがないことを認識させて安心感を与え、１５Ｒ確変大当り遊技又は７Ｒ確変大当り遊技のいずれかが付与されるか否かに注目させることができる。その一方、危機演出が実行された場合には、遊技者に確変秘匿モードが設定される虞があることを認識させて不安感を与え、遊技の興趣を向上させることができる。また、危機演出が実行された場合であっても、第１演出が実行され、１５Ｒ確変大当り遊技又は７Ｒ確変大当り遊技のいずれかが付与される場合もあるので、遊技者に期待感を与えることができる。
【０１７５】
そして、統括ＣＰＵ３１ａは、オープニングコマンドを入力すると、指定された変動パターンに応じて、オープニング演出の具体的な演出内容を特定するオープニング演出コマンドを各制御基板３２〜３４に出力する。同様に、統括ＣＰＵ３１ａは、ラウンドコマンドを入力すると、ラウンドコマンドを各制御基板３２〜３４に出力する。また、統括ＣＰＵ３１ａは、エンディングコマンドを入力すると、当選時の遊技状態及び指定された変動パターンに応じて、エンディング演出の具体的な演出内容を特定するエンディング演出コマンドを各制御基板３２〜３４に出力する。
【０１７６】
次に、表示制御基板３２のサブＣＰＵ３２ａが表示制御プログラムに基づき実行する各種処理について説明する。サブＣＰＵ３２ａは、統括制御基板３１（統括ＣＰＵ３１ａ）から制御コマンドを入力すると、表示制御プログラムに基づき、入力した制御コマンドに応じた制御を行う。例えば、サブＣＰＵ３２ａは、変動パターン指定コマンドを入力すると、変動パターン指定コマンドにて指定された変動パターンＰ１〜Ｐ１７で飾り図柄を変動表示させて図柄変動ゲームを開始させるように可変表示器Ｈ２の表示内容を制御する。
【０１７７】
また、サブＣＰＵ３２ａは、変動パターンＰ１〜Ｐ５，Ｐ１１が指定された場合、入力した飾り図柄指定コマンドで指定された確定停止飾図に基づき、リーチの図柄組み合わせを表示させ、統括ＣＰＵ３１ａにより決定された味方キャラクタを表示して、対決リーチ演出を実行させるように可変表示器Ｈ２の表示内容を制御する。
【０１７８】
同様に、サブＣＰＵ３２ａは、変動パターンＰ６〜Ｐ７が指定された場合、入力した仮図柄指定コマンドで指定された仮図柄に基づき、リーチの図柄組み合わせを表示させ、統括ＣＰＵ３１ａにより決定された味方キャラクタを表示して、対決リーチ演出を実行させるように可変表示器Ｈ２の表示内容を制御する。
【０１７９】
また、サブＣＰＵ３２ａは、変動パターンＰ８が指定された場合、入力した仮図柄指定コマンドで指定された仮図柄に基づき、リーチの図柄組み合わせを表示させ、指定された変動パターンＰ８と、統括ＣＰＵ３１ａから入力した演出実行パターンに基づき、リーチ演出Ｒ１〜Ｒ４を実行させるように可変表示器Ｈ２の表示内容を制御する。
【０１８０】
また、サブＣＰＵ３２ａは、変動パターンＰ１２が指定された場合、入力した飾り図柄指定コマンドで指定された確定停止飾図に基づき、リーチの図柄組み合わせを表示させ、指定された変動パターンＰ１２と、統括ＣＰＵ３１ａから入力した演出実行パターンに基づき、リーチ演出Ｒ１〜Ｒ３を実行させるように可変表示器Ｈ２の表示内容を制御する。
【０１８１】
また、サブＣＰＵ３２ａは、変動パターンＰ６〜Ｐ８が指定された場合、仮図柄指定コマンドにより指定された仮図柄を一旦停止表示させた後、再変動演出を実行させ、その後、全図柄停止コマンドの入力に応じて確定停止飾図を表示させるように制御する。
【０１８２】
そして、サブＣＰＵ３２ａは、全図柄停止コマンドを入力すると、入力した飾り図柄指定コマンドで指定された確定停止飾図を可変表示器Ｈ２に表示させるように可変表示器Ｈ２の表示内容を制御する。これらの制御により、可変表示器Ｈ２では図柄変動ゲームが行われる。
【０１８３】
また、サブＣＰＵ３２ａは、オープニング演出コマンドを入力すると、オープニング演出コマンドにより特定された演出内容で、オープニング演出を実行させる。同様に、サブＣＰＵ３２ａは、ラウンドコマンドを入力すると、ラウンドコマンドに基づき、ラウンド演出を実行させる。また、サブＣＰＵ３２ａは、エンディング演出コマンドを入力すると、エンディング演出コマンドにより特定された演出内容で、エンディング演出を実行させる。以上により、本実施形態の表示制御基板３２が、演出制御手段となる。
【０１８４】
次に、対決リーチ演出の演出態様について、図１８〜図１９に基づき、説明する。
図１８では、変動パターンＰ６に基づき、図柄変動ゲームが実行されるものとして説明する。また、確定停止飾図として［７７７］が決定され、仮図柄として［２２２］が決定され、味方キャラクタとしてキャラクタＫ３が決定されたものとして説明する。また、１５Ｒ確変大当り遊技が付与されるものとして説明する。
【０１８５】
サブＣＰＵ３２ａは、指定された変動パターンＰ６に基づき、図柄変動ゲームの実行を開始させるように可変表示器Ｈ２の表示内容を制御する（図１８（ａ））。次に、サブＣＰＵ３２ａは、変動パターンＰ６に基づき、リーチの図柄組み合わせ［２↓２］を表示させた後（図１８（ｂ））、指定された味方キャラクタＫ３を表示させ、対決リーチ演出を開始させるように可変表示器Ｈ２の表示内容を制御する（図１８（ｃ））。
【０１８６】
次に、サブＣＰＵ３２ａは、変動パターンＰ６に基づき、味方キャラクタＫ３の攻撃に対して敵キャラクタＫ０が防御する確変確定演出を実行させるように可変表示器Ｈ２の表示内容を制御する（図１８（ｄ））。遊技者は、図柄変動ゲームが終了した後、確変演出モードが付与されることを認識することができる。
【０１８７】
そして、サブＣＰＵ３２ａは、変動パターンＰ６に基づき、味方キャラクタＫ３の攻撃が成功し、敵キャラクタＫ０が倒れ、勝利したことを示す第１演出を実行させるように可変表示器Ｈ２の表示内容を制御する（図１８（ｅ））。これにより、遊技者は、図柄変動ゲームが終了した後、１５Ｒ確変大当り遊技、又は７Ｒ確変大当り遊技が付与されることを認識することができる。
【０１８８】
そして、サブＣＰＵ３２ａは、変動パターンＰ６に基づき、仮図柄指定コマンドにより指定された仮図柄［２２２］を一旦停止表示させるように可変表示器Ｈ２の表示内容を制御する（図１８（ｆ））。次に、サブＣＰＵ３２ａは、変動パターンＰ６に基づき、全列の飾図を再び変動表示させて、再変動演出を実行させる（図１８（ｇ））。その後、サブＣＰＵ３２ａは、全図柄停止コマンドを入力すると、飾り図柄指定コマンドにより指定された確定停止飾図［７７７］を確定停止表示させるように可変表示器Ｈ２の表示内容を制御する（図１８（ｈ））。これにより、遊技者は、１５Ｒ確変大当り遊技が付与されることを認識できる。
【０１８９】
図１９では、変動パターンＰ５に基づき、図柄変動ゲームが実行されるものとして説明する。また、確定停止飾図として［２１２］が決定され、味方キャラクタとしてキャラクタＫ２が決定されたものとして説明する。また、２Ｒ非確変大当り遊技が付与されるものとして説明する。
【０１９０】
サブＣＰＵ３２ａは、指定された変動パターンＰ５に基づき、図柄変動ゲームの実行を開始させるように可変表示器Ｈ２の表示内容を制御する（図１９（ａ））。次に、サブＣＰＵ３２ａは、変動パターンＰ５に基づき、リーチの図柄組み合わせ［２↓２］を表示させた後（図１９（ｂ））、指定された味方キャラクタＫ２を表示させ、対決リーチ演出を開始させるように可変表示器Ｈ２の表示内容を制御する（図１９（ｃ））。次に、サブＣＰＵ３２ａは、変動パターンＰ５に基づき、味方キャラクタＫ２の攻撃に対して敵キャラクタＫ０が反撃する危機演出を実行させるように可変表示器Ｈ２の表示内容を制御する（図１９（ｄ））。遊技者は、図柄変動ゲームが終了した後、確変演出モードが付与されない可能性があることを認識することができる。
【０１９１】
そして、サブＣＰＵ３２ａは、変動パターンＰ５に基づき、敵キャラクタＫ０の反撃に対して、味方キャラクタＫ２の防御が失敗し、敗北したことを示す第２演出を実行させるように可変表示器Ｈ２の表示内容を制御する（図１９（ｅ））。これにより、遊技者は、図柄変動ゲームが終了した後、１５Ｒ確変大当り遊技、又は７Ｒ確変大当り遊技が付与されないこと、及び確変秘匿モードが設定されることを認識することができる。そして、サブＣＰＵ３２ａは、全図柄停止コマンドを入力すると、飾り図柄指定コマンドにより指定された確定停止飾図［２１２］を確定停止表示させるように可変表示器Ｈ２の表示内容を制御する（図１９（ｆ））。この後、２Ｒ非確変大当り遊技が付与され、確変秘匿モードが設定されることとなる。
【０１９２】
以上詳述したように、本実施形態は、以下の効果を有する。
（１）入球率向上状態が付与されていないときに、最終停止図柄として、特図Ｃ，Ｆ，Ｇが決定された場合、当り遊技の特別入賞口の開放態様が同じであり、また、いずれも入球率向上状態が付与されない。また、何れの場合も変動パターンＰ９に基づき、図柄変動ゲームが実行される。また、第７遊技情報（当り遊技情報）が外部に出力され、当り回数報知装置ＫＨが当り回数として１加算して表示する。このように見た目上の違いが無いため、遊技者から確変状態であるか否かを秘匿することができる。
【０１９３】
一方、入球率向上状態が付与されているときに、図柄Ｆが決定された場合、２Ｒ非確変大当り遊技終了後、予め決められた回数の図柄変動ゲームが終了するまで入球率向上状態が付与されるようになっている。ここで、例えば、当該入球率向上状態が終了されるまでの間に、小当り遊技が実行され、第７遊技情報（当り遊技情報）が出力され、当り回数報知装置ＫＨが当り回数に１加算した場合、第７遊技情報が出力されてから予め決められた回数の図柄変動ゲームが終了する前に入球率向上状態が終了するように勘違いさせてしまう虞がある。つまり、入球率向上状態が新たに付与されない小当り遊技と、入球率向上状態が新たに付与される２Ｒ非確変大当り遊技の大入賞口２３の開放態様は同じであるために、第７遊技情報の出力有無（当り回数報知装置ＫＨが報知する当り回数）によって２Ｒ非確変大当り遊技が付与されたか否かを遊技者が判断した場合、第７遊技情報が出力されてから入球率向上状態が終了するゲーム数は、小当り遊技の有無で左右されてしまい、混乱させる虞がある。そこで、本実施形態では、入球率向上状態が付与されている間に、小当り遊技が付与されても第７遊技情報を出力させないようにして、入球率向上状態が付与される図柄変動ゲーム数を勘違いさせないようにした。
【０１９４】
（２）また、入球率向上状態が付与されていないときには、小当り遊技の付与回数が第７遊技情報として出力され、当り回数報知装置ＫＨが報知する当り回数に加算されるため、見た目上、図柄変動ゲームが当りとなる回数が多いように見せることができる。
【０１９５】
（３）サブＣＰＵ３２ａは、最終停止図柄として特図Ａ，Ｂが決定された場合、図柄変動ゲーム中に、大当りの図柄組み合わせを表示させることにより、確変状態が付与されることを認識させる確変演出を実行させる。その一方、サブＣＰＵ３２ａは、最終停止図柄として特図Ｃ，Ｅ，Ｆ，Ｇが決定された場合であって、入球率向上状態が付与されていない場合（確変演出モードが設定されていない場合）、図柄変動ゲーム中に、確変示唆の図柄組み合わせを表示させることにより、確変状態付与の可能性を示唆する潜伏演出を実行させ、確変状態が付与されるか否かを秘匿する。このようにすれば、入球率向上状態が付与されていないとき、最終停止図柄として特図Ｃ，Ｅ，Ｆ，Ｇが決定され、２ラウンドの大当り遊技又は小当り遊技が実行された場合に、遊技者は、図柄変動ゲーム中又は大当り遊技中の演出内容から確変状態であるか否かを判断することができない。このため、確変状態が付与されている期待感を持たせて遊技を継続させることができる。
【０１９６】
（４）変動パターンＰ５は、最終停止図柄として特図Ｃ，Ｆが決定されたとき、すなわち、第１の２Ｒ確変大当り遊技又は２Ｒ非確変大当り遊技が付与されるときに、決定される。このため、変動パターンＰ５に基づく図柄変動ゲーム終了後、確変秘匿モードが設定されたとしても、確変状態が潜伏している可能性がある。すなわち、対決リーチ演出にて敗北し、確変秘匿モードが設定された場合であっても、遊技者に確変状態が付与されているのではないかと期待を持たせ、遊技を継続させる意欲を持たせることができる。
【０１９７】
（５）また、遊技店側は、ホールコンピュータＨＣが第４遊技情報を入力することにより、入球率向上状態が付与されているか否かを取得することができる。従って、遊技店側は、入球率向上状態が付与されている場合とされていない場合とで遊技状態を分けて入賞率やこの期間に発生した賞球払出し数を管理し、釘調整を行うことができる。すなわち、遊技店側は、遊技機から直接、多数の賞球が払い出される大当り回数、賞球が払い出されない大当り回数、及び入球率向上状態が付与されて遊技状態が変化する大当りの回数などを取得して、遊技状態を想定する手間を省くことができる。
【０１９８】
尚、上記実施形態は、次のような別の実施形態（別例）にて具体化できる。
○上記実施形態において、サブＣＰＵ３２ａは、決定された味方キャラクタに基づき、味方キャラクタを表示させる前に、味方キャラクタを予め示唆する示唆演出を実行させるようにしてもよい。例えば、キャラクタＫ１〜Ｋ４毎に決定されやすい背景画面の背景色を予め決めておく。そして、統括ＣＰＵ３１ａが（又はサブＣＰＵ３２ａが）乱数抽選により背景色を決定し、決定した背景色に基づきサブＣＰＵ３２ａが、背景画面を表示させる。このため、味方キャラクタを予め示唆する示唆演出を実行することにより、遊技者を飽きさせず、遊技の興趣を向上させることができる。
【０１９９】
○上記実施形態において、統括ＣＰＵ３１ａ又はサブＣＰＵ３２ａは、変動パターンＰ１，Ｐ２が決定された場合、確変確定演出を実行させる前に、確変確定演出が実行されることを予め報知する報知演出を実行させてもよい。このような報知演出が実行された場合、図柄変動ゲーム終了後に、確変演出モードが付与されるため、遊技者に安心感を与えることができる。このため、遊技者に、報知演出が実行されるか否かについて注目させることができ、遊技の興趣を向上させることができる。
【０２００】
○上記実施形態において、大当り確定のリーチ演出Ｒ４を設けたが、設けなくても良い。
○上記実施形態では、再抽選演出において、７Ｒ確変大当り遊技と、１５Ｒ確変大当り遊技のいずれの大当り遊技が付与されるかを示したが、確変状態が付与されるか否かを再抽選演出にて示しても良い。
【０２０１】
○上記実施形態では、再変動演出を実行させなくても良い。
○上記実施形態では、確定停止飾図を最終停止図柄の種類にかかわらず任意に決定しても良い。
【０２０２】
○上記実施形態において、確変示唆の図柄組み合わせを任意に変更しても良い。
○上記実施形態において、メインＣＰＵ３０ａは、変動パターン決定処理のステップＳ３０において、小当り遊技に対応する当り演出用の変動パターンとして、入球率向上状態が付与されている場合には、変動パターンＰ５を決定した。この別例として、メインＣＰＵ３０ａは、小当り遊技に対応する当り演出用の変動パターンとして、入球率向上状態が付与されている場合であって確変演出モード中には、変動パターンＰ２，Ｐ４，Ｐ５の中から変動パターンを決定しても良い。これにより、変動パターンＰ２，Ｐ４，Ｐ５に基づく図柄変動ゲームが実行されやすくなる。また、小当り遊技当選時に、確変演出モードが付与されないことを示す変動パターンＰ５に基づく図柄変動ゲームが行われる場合がある。このため、確変演出モードが付与されなくても確変状態が付与されている場合がある。従って、遊技者に確変状態が潜伏しているのではと期待させることができる。また、メインＣＰＵ３０ａは、小当り遊技に対応する当り演出用の変動パターンとして、入球率向上状態が付与されている場合であって確変秘匿モード中には、変動パターンＰ５を決定する。
【０２０３】
○上記実施形態において、確変演出モード中又は確変秘匿モード中、小当り遊技が付与されている場合又ははずれリーチ演出を実行させる場合、メインＣＰＵ３０ａは、共通の変動パターンＰ２００を出力するようにしてもよい。そして、この場合、統括ＣＰＵ３１ａは、当該変動パターンＰ２００が指定されたとき、設定されている演出モードによって、具体的な対決リーチ演出の演出内容を変更し、当該対決リーチ演出の演出内容を各制御基板３２〜３４に指定することとなる。すなわち、統括ＣＰＵ３１ａは、当該変動パターンＰ２００が指定されたとき、確変演出モード中であるならば、対決リーチ演出にて引き分けとなり、確変演出モードが継続して設定されることを示すこと（変動パターンＰ４に相当する内容）を対決リーチ演出の演出内容として、指定することとなる。一方、統括ＣＰＵ３１ａは、当該変動パターンＰ２００が指定されたとき、確変秘匿モード中であるならば、対決リーチ演出にて負けとなり、確変秘匿モードが継続して設定されることを示すこと（変動パターンＰ５に相当する内容）を対決リーチ演出の演出内容として、指定することとなる。
【０２０４】
○上記実施形態では、入球率向上状態が付与されていないときには、保留記憶数が図柄変動ゲーム開始時において所定値（本実施形態では３）に達しているか否かによってはずれとなる図柄変動ゲーム（通常変動）の演出時間の長さを異なるようにした。この別例として、所定値を任意に変更しても良い。例えば、保留記憶数の上限値（本実施形態では、４）としてもよいし、「２」としてもよい。
【０２０５】
○上記実施形態において、確変演出モード中又は確変秘匿モード中に実行される図柄変動ゲームにおいて、対決リーチ演出を実行させたが、実行させなくても良い。
○上記実施形態では、統括ＣＰＵ３１ａは、確変秘匿モードが設定されているときに、入球率向上状態の付与が終了した場合、通常モードを設定したが、この別例として、統括ＣＰＵ３１ａは、入球率向上状態及び確変状態が付与されていない場合に、通常モードを設定するようにしても良い。
【０２０６】
次に、上記実施形態及び別例から把握できる技術的思想を以下に追記する。
（イ）遊技情報出力手段は、遊技機の機裏側に装着される外部端子板を有し、当該外部端子板を介して当り遊技情報を出力することを特徴とする請求項１〜請求項３のうちいずれか一項に記載の遊技機。
【図面の簡単な説明】
【０２０７】
【図１】パチンコ遊技機の機表側を示す正面図。
【図２】センター役物の拡大図。
【図３】パチンコ遊技機の制御構成を示すブロック図。
【図４】大当り遊技の種類を示す説明図。
【図５】変動パターンの種類を示す説明図。
【図６】入賞処理を示すフローチャート。
【図７】変動パターン決定処理を示すフローチャート。
【図８】（ａ）と（ｂ）は、特別図柄と、特図振分用乱数の関係を示す説明図。
【図９】（ａ）と（ｂ）は、変動パターン振り分けテーブルを示す説明図。
【図１０】（ａ）と（ｂ）は、遊技状態と、リーチ確率の関係を示す説明図。
【図１１】特別図柄種別フラグテーブルを示す説明図。
【図１２】（ａ）は、特別図柄確率変動予備フラグテーブルを示す説明図、（ｂ）は、変動時間短縮予備フラグテーブルを示す説明図、（ｃ）は、普通図柄確率変動予備フラグテーブルを示す説明図、（ｄ）は、特別図柄変動時間短縮回数テーブルを示す説明図。
【図１３】第１情報信号作成処理を示す説明図。
【図１４】第２情報信号作成処理を示す説明図。
【図１５】（ａ）と（ｂ）は、確定停止飾図と変動パターンの関係を示す説明図。
【図１６】各演出モードを示す説明図。
【図１７】対決リーチ演出を示す説明図。
【図１８】（ａ）〜（ｈ）は、対決リーチ演出の演出態様を示す模式図。
【図１９】（ａ）〜（ｆ）は、対決リーチ演出の演出態様を示す模式図。
【符号の説明】
【０２０８】
１０…パチンコ遊技機（遊技機）、１６…装飾ランプ、２０…センター役物、３０…主制御基板、３０ａ…メインＣＰＵ（乱数取得手段、大当り判定手段、変動パターン決定手段、大当り遊技決定手段、入球率向上状態付与手段、大当り遊技付与手段、リーチ判定手段、確変判定手段）、３０ｃ…ＲＡＭ（保留記憶手段）、３１…統括制御基板、３１ａ…統括ＣＰＵ、３２…表示制御基板（演出制御手段）、３２ａ…サブＣＰＵ、５３…外部端子板、Ｈ１…特図表示器、Ｈ２…可変表示器（演出実行手段）、ＨＣ…ホールコンピュータＨＣ、ＫＨ…当り回数報知装置。
【図１】
2010069124.tif 000003
【図２】
2010069124.tif 000004
【図３】
2010069124.tif 000005
【図４】
2010069124.tif 000006
【図５】
2010069124.tif 000007
【図６】
2010069124.tif 000008
【図７】
2010069124.tif 000009
【図８】
2010069124.tif 000010
【図９】
2010069124.tif 000011
【図１０】
2010069124.tif 000012
【図１１】
2010069124.tif 000013
【図１２】
2010069124.tif 000014
【図１３】
2010069124.tif 000015
【図１４】
2010069124.tif 000016
【図１５】
2010069124.tif 000017
【図１６】
2010069124.tif 000018
【図１７】
2010069124.tif 000019
【図１８】
2010069124.tif 000020
【図１９】
2010069124.tif 000021